(57)【特許請求の範囲】
【請求項１】
原稿に向けて光を照射する複数個の発光素子を主走査方向にそれぞれ列設した複数列の光源群を備えた照明装置と、前記照明装置により照明された前記原稿からの反射光を読み取る原稿読取部とを備えた画像読取装置であって、
前記複数列の光源群における発光素子の光量を設定する設定部を備え、
前記複数列の光源群における発光素子は、同一光源群内において同一ピッチで、かつ、前記複数列の光源群間において互いに異なるピッチで前記原稿の光照射面を照明し、
前記複数列の光源群における発光素子は、前記原稿の前記光照射面での前記主走査方向の明暗の繰り返しによる照度ムラを示す照度分布が予め設定した前記照度ムラの基準範囲から外れる場合には、前記設定部によって前記照度分布が前記基準範囲内に入る光量に設定され、
前記複数列の光源群の少なくとも一つの光源群は、前記複数個の発光素子を複数個単位で直列に接続する複数本の配線を備えており、
前記複数本の配線のうち、同一配線上にある前記複数個の発光素子間に、他の配線上にある前記複数個の発光素子が前記主走査方向に同一の配列順序で一つずつ配列されており、
前記一の光源群における前記複数本の配線は、それぞれ、該一の光源群の前記主走査方向に配列されている発光素子に対して、前記複数列の光源群間におけるピッチの長さに対する最小公倍数の長さを該一の光源群における発光素子のピッチの長さで割った個数毎に直列に接続することを特徴とする画像読取装置。
【請求項２】
請求項１に記載の画像読取装置であって、
前記複数列の光源群のうち、少なくとも二つの光源群における前記複数個の発光素子は、前記光照射面への光軸の前記主走査方向における照射位置である光軸照射位置の少なくとも一つが前記少なくとも二つの光源群間において一致している構成とされていることを特徴とする画像読取装置。
【請求項３】
請求項１に記載の画像読取装置であって、
前記複数個の発光素子は、前記光照射面への光軸の前記主走査方向における照射位置である光軸照射位置が前記複数列の光源群間において何れも一致していない構成とされていることを特徴とする画像読取装置。
【請求項４】
請求項１から請求項３までの何れか１項に記載の画像読取装置であって、
前記複数個単位で直列に接続された前記複数個の発光素子が不点灯となった場合、不点灯となった発光素子の前記光源群における、不点灯となった発光素子の隣に位置する発光素子の光量を、前記照度分布が前記基準範囲内に入る光量に増加させる第１光量制御を行うことを特徴とする画像読取装置。
【請求項５】
請求項１から請求項４までの何れか１項に記載の画像読取装置であって、
前記複数個単位で直列に接続された前記複数個の発光素子が不点灯となった場合、不点灯となった発光素子とは異なる前記光源群における、不点灯となった発光素子の前記光照射面での前記照度分布に関与する予め設定した発光素子の光量を、前記照度分布が前記基準範囲内に入る光量に増加させる第２光量制御を行うことを特徴とする画像読取装置。
【請求項６】
請求項１から請求項５までの何れか１項に記載の画像読取装置と、前記画像読取装置により読み取られた前記原稿の画像を記録シートに形成する画像形成部とを備えたことを特徴とする画像形成装置。
【発明の詳細な説明】
【技術分野】
【０００１】
本発明は、画像読取装置及び画像形成装置に関する。
【背景技術】
【０００２】
複写機、ファクシミリ装置及びデジタル複合機等の画像形成装置に備えられる画像読取装置や、ネットワーク等の通信手段を介してコンピュータに接続される画像読取装置においては、一般的に、光源を有する照明装置によって照明された原稿からの反射光を原稿画像として読み取るようになっている。
【０００３】
例えば、従来の画像読取装置として、原稿台ガラス上に載置された原稿を照明する光源と第１ミラーとを配置した照明装置と、第２及び第３ミラーと、結像レンズと、撮像素子（例えば、ＣＣＤ（Charge Coupled Device）等のラインセンサ）とを備え、光源により照明された原稿反射光を第１ミラー、第２ミラー、第３ミラーから結像レンズを介して撮像素子に結像させて原稿画像を読み取る構成のものが多い。
【０００４】
また、画像読取装置は、例えば、ＣＣＤなどの撮像素子上に結像された画像情報を電気信号に変換して画像処理し、画像情報の印刷を行う画像形成部へ転送する場合や、ネットワークに接続されたコンピュータ（例えばパーソナルコンピュータ）へ送信する場合などの画像読取手段として使用される。
【０００５】
従来、照明装置に設けられる光源として、ハロゲンランプやキセノンランプなどの棒状の光源や、発光ダイオード（ＬＥＤ）などの複数個の発光素子を主走査方向に列設した光源群を採用することがある。
【０００６】
このうち、複数個の発光素子を列設した光源群を採用する場合、ＬＥＤなどの発光素子は所定方向に指向特性を有しているため、原稿の光照射面で発光素子のピッチに対応する照度ムラが発生することがある。
【０００７】
例えば、発光素子のピッチが大きくなるに従い原稿の光照射面での主走査方向の明暗の繰り返しによる照度ムラが目立ちやすくなる。このため、前記ピッチを小さくすることが好ましいが、前記ピッチを小さくすると、必要な発光素子の数が多くなり、それだけコストアップを招くことになる。
【０００８】
かかる照度ムラを軽減するという観点から、特許文献１には、複数個の発光素子を千鳥状に列設した光照射装置が開示されている。
【０００９】
ところで、人は、通常、原稿の光照射面での明暗の濃淡の度合が一定であるものを照度ムラと認識する傾向にある。すなわち、主走査方向の明暗の繰り返しによる照度ムラは、原稿の光照射面での主走査方向における照度分布の振幅や変動周期が一定となっていると目立ちやすい。
【先行技術文献】
【特許文献】
【００１０】
【特許文献１】特開２００８−１１８２４６号公報
【特許文献２】特開平４−３４４９９２号公報
【発明の概要】
【発明が解決しようとする課題】
【００１１】
ところが、特許文献１に記載の照明装置では、主走査方向に列設した副走査方向における両側に列設された発光素子は、千鳥状に列設されているので、原稿の光照射面での主走査方向における照度分布の振幅や変動周期が一定となることから、照度ムラが目立ちやすい。
【００１２】
そこで、本発明は、原稿に向けて光を照射する複数個の発光素子を主走査方向にそれぞれ列設した複数列の光源群を備えた照明装置を備えた画像読取装置及び画像形成装置であって、前記原稿の光照射面での前記主走査方向の明暗の繰り返しによる照度ムラを目立ち難くすることができる画像読取装置及び画像形成装置を提供することを目的とする。
【００１３】
なお、本発明の関連技術に対する参考文献として特許文献２のものがある。すなわち、特許文献２には、イメージセンサのＬＥＤユニットにおいて、並列に接続された複数の配線上に、複数個のＬＥＤをそれぞれ直列に配列し、これらのＬＥＤを配列する場合、同一配線上のＬＥＤの一つが故障して断線状態になると、同一配線上の他の全てのＬＥＤも電流が流れず、原稿の光照射面での輝度が一部分だけ落ち込むことなる事態を防ぐために、同一の配線上のＬＥＤ同士の間に他の配線上のＬＥＤを一つずつ配列したＬＥＤユニットが開示されている。
【課題を解決するための手段】
【００１４】
本発明は、前記課題を解決するために、次の画像読取装置及び画像形成装置を提供する。
【００１６】
（１）画像読取装置
原稿に向けて光を照射する複数個の発光素子を主走査方向にそれぞれ列設した複数列の光源群を備えた照明装置と、前記照明装置により照明された前記原稿からの反射光を読み取る原稿読取部とを備えた画像読取装置であって、前記複数列の光源群における発光素子の光量を設定する設定部を備え、前記複数列の光源群における発光素子は、同一光源群内において同一ピッチで、かつ、前記複数列の光源群間において互いに異なるピッチで前記原稿の光照射面を照明し、前記複数列の光源群における発光素子は、前記原稿の前記光照射面での前記主走査方向の明暗の繰り返しによる照度ムラを示す照度分布が予め設定した前記照度ムラの基準範囲から外れる場合には、前記設定部によって前記照度分布が前記基準範囲内に入る光量に設定され、前記複数列の光源群の少なくとも一つの光源群は、前記複数個の発光素子を複数個単位で直列に接続する複数本の配線を備えており、前記複数本の配線のうち、同一配線上にある前記複数個の発光素子間に、他の配線上にある前記複数個の発光素子が前記主走査方向に同一の配列順序で一つずつ配列されており、前記一の光源群における前記複数本の配線は、それぞれ、該一の光源群の前記主走査方向に配列されている発光素子に対して、前記複数列の光源群間におけるピッチの長さに対する最小公倍数の長さを該一の光源群における発光素子のピッチの長さで割った個数毎に直列に接続することを特徴とする画像読取装置。
【００１７】
（２）画像形成装置
前記本発明に係る画像読取装置と、前記画像読取装置により読み取られた前記原稿の画像を記録シートに形成する画像形成部とを備えたことを特徴とする画像形成装置。
【００１８】
ここで、本発明にいう「前記照度ムラの基準範囲」とは、前記原稿の前記光照射面での前記主走査方向の明暗の繰り返しのうち明部と暗部との照度差の度合の範囲をいう。前記照度差の度合としては、前記照度分布において明部及び暗部の前記主走査方向における距離に対する照度差の変化割合（傾き）や、前記照度分布において明部及び暗部の照度の平均値に対する照度差の変化割合（リップル率）を例示できる。
【００１９】
本発明に係る画像読取装置及び画像形成装置によれば、前記複数列の光源群における発光素子は、同一光源群内において同一ピッチで、かつ、前記複数列の光源群間において互いに異なるピッチで前記原稿の光照射面を照明するので、前記原稿の前記光照射面での前記主走査方向における前記照度分布の振幅や変動周期が一定にならないようにすることができ、これにより、前記照度ムラを目立ち難くすることが可能となる。
【００２０】
さらに、本発明に係る画像読取装置及び画像形成装置によれば、前記複数列の光源群における発光素子は、前記照度分布が前記基準範囲から外れる場合には、前記設定部によって前記照度分布が前記基準範囲内に入る光量に設定されるので、前記照度ムラを抑制することができ、前記照度ムラをさらに目立ち難くすることが可能となる。
しかも、前記複数列の光源群の少なくとも一つの光源群に備えられた前記複数本の配線に前記複数個の発光素子が前記複数個単位で直列に接続されることで、前記照度分布に対して前記複数個の発光素子の光量を前記複数個単位で前記基準範囲内に入る光量に設定することができる。これにより、光量を予め調整しておく調整作業を簡素化することができる。
また、前記複数本の配線のうち、同一配線上にある前記複数個の発光素子間に、他の配線上にある前記複数個の発光素子が前記主走査方向に同一の配列順序で一つずつ配列されているので、たとえ前記複数個単位で直列に接続された発光素子が不点灯となったときでも、前記主走査方向に点在した発光素子が不点灯となることから、不点灯となった発光素子を前記主走査方向で分散させることができ、これにより、前記原稿の前記光照射面での照度の落ち込み部分の前記主走査方向における幅を分散させることができ、それだけ前記照度ムラを目立ち難くすることができる。
また、前記一の光源群における前記複数本の配線は、それぞれ、該一の光源群の前記主走査方向に配列されている発光素子に対して、前記複数列の光源群間におけるピッチの長さに対する最小公倍数の長さを該一の光源群における発光素子のピッチの長さで割った個数毎に直列に接続することで、前記設定部にて設定する前記複数列の光源群における発光素子の光量を前記照度分布の周期に合わせて設定することができ、これにより、光量を簡単にかつ精度良く調整することが可能となる。
【００２１】
本発明において、前記複数列の光源群のうち、少なくとも二つの光源群における前記複数個の発光素子は、前記光照射面への光軸の前記主走査方向における照射位置である光軸照射位置の少なくとも一つが前記少なくとも二つの光源群間において一致している構成とされている態様を例示できる。
【００２２】
この特定事項では、前記複数列の光源群間における一致している前記光軸照射位置で照度を最大にすることができる。これにより、前記照度分布の一致している前記光軸照射位置の明部以外の明部の照度を低く抑えることができ、ひいては光量を設定すべき発光素子の数を減らすことができる。この場合、前記複数列の光源群間において前記光軸照射位置が一致する発光素子を少なくして前記光軸照射位置の数を増やすという観点から、前記複数列の光源群のうち、一の光源群における前記複数個の発光素子は、ピッチの長さが他の光源群における発光素子のピッチの整数倍とは異なる長さとされていることが好ましい。
【００２３】
本発明において、前記複数個の発光素子は、前記光照射面への光軸の前記主走査方向における照射位置である光軸照射位置が前記複数列の光源群間において何れも一致していない構成とされている態様を例示できる。
【００２４】
この特定事項では、前記光軸照射位置の数を前記複数列の光源群における発光素子の合計個数分（最大個数分）にすることができ、それだけ前記照度ムラを目立ち難くすることができる。
【００３１】
本発明において、前記複数個単位で直列に接続された前記複数個の発光素子が不点灯となった場合、不点灯となった発光素子の前記光源群における、不点灯となった発光素子の隣に位置する発光素子の光量を、前記照度分布が前記基準範囲内に入る光量に増加させる第１光量制御を行う態様を例示できる。
【００３２】
この特定事項では、前記第１光量制御を行うことで、不点灯となった発光素子の前記原稿の前記光照射面での照度低下を補うことができ、これにより、前記光照射面での光量を確保でき、前記照度分布を前記基準範囲内に維持させることが可能となる。
【００３３】
本発明において、前記複数個単位で直列に接続された前記複数個の発光素子が不点灯となった場合、不点灯となった発光素子とは異なる前記光源群における、不点灯となった発光素子の前記光照射面での前記照度分布に関与する予め設定した発光素子の光量を、前記照度分布が前記基準範囲内に入る光量に増加させる第２光量制御を行う態様を例示できる。
【００３４】
この特定事項では、前記第２光量制御を行うことで、不点灯となった発光素子の前記原稿の前記光照射面での照度低下を補うことができ、これにより、前記光照射面での照度を確保でき、前記照度分布を前記基準範囲内に維持させることが可能となる。
【発明の効果】
【００３５】
以上説明したように、本発明に係る画像読取装置及び画像形成装置によると、前記複数列の光源群における発光素子は、同一光源群内において同一ピッチで、かつ、前記複数列の光源群間において互いに異なるピッチで前記原稿の光照射面を照明することで、前記原稿の前記光照射面での前記主走査方向における前記照度分布の振幅や変動周期が一定にならないようにすることができ、これにより、前記照度ムラを目立ち難くすることができる。
【００３６】
さらに、本発明に係る画像読取装置及び画像形成装置によると、前記複数列の光源群における発光素子は、前記照度分布が前記基準範囲から外れる場合には、前記設定部によって前記照度分布が前記基準範囲内に入る光量に設定されることで、前記照度ムラを抑制することができ、前記照度ムラをさらに目立ち難くすることができる。
【図面の簡単な説明】
【００３７】
【図１】本発明の実施の形態に係る画像読取装置を備えた画像形成装置を概略的に示す断面図である。
【図２】図１に示す画像読取装置を背面から視た概略断面図である。
【図３】光源ユニットの概略構成を示す図であって、（ａ）は、その斜視図であり、（ｂ）は、その分解斜視図である。
【図４】光源ユニットにおける光源の概略構成を示す図であって、（ａ）は、光源ユニットの側面図であり、（ｂ）は、光源の側面図である。
【図５】第１発光素子及び第２発光素子が頂面発光を行う一例を示す概略側面図である。
【図６】第１光源基板及び第２光源基板にそれぞれ搭載された第１光源群及び第２光源群の配列状態の一例を示す概略平面図である。
【図７】何れの発光素子も同一光量とした場合において光照射領域での主走査方向における照度分布の一例を示すグラフであって、（ａ）は、第１光源群における第１発光素子の光軸を第１光源群単独で光照射領域に照射した場合での照度分布を示す図であり、（ｂ）は、第２光源群における第２発光素子の光軸を第２光源群単独で光照射領域に照射した場合での照度分布を示す図であり、（ｃ）は、第１及び第２光源群における第１及び第２発光素子の光軸を光照射領域に照射した場合での照度分布を示す図である。
【図８】本実施の形態に係る画像読取装置の制御系の概略構成を示す図であって、画像読取装置における制御部を中心に示す制御ブロック図である。
【図９】図７（ｃ）に示す照度分布に対して第１発光素子及び第２発光素子の光量を照度ムラの基準範囲内に入る光量に設定した照度分布を示すグラフである。
【図１０】図８に示すブロック図の光量制御部部分を詳細に示す配線図である。
【図１１】図１０に示す光量制御部に接続される第１及び第２発光素子の第１及び第２光源基板への配列構成を示す回路図である。
【図１２】図８に示す光量制御における詳細の概略構成の一例を示す回路図である。
【図１３】第１及び第２位置テーブルのデータ構造図であって、（ａ）は、第１発光素子と第１配線との接続関係及び第１発光素子の第１光源基板における配列の相互の位置関係を記憶した第１位置テーブルの一例であり、（ｂ）は、第２発光素子と第２配線との接続関係及び第２発光素子の第２光源基板における配列の相互の位置関係を記憶した第２位置テーブルの一例である。
【図１４】第１及び第２光量テーブルのデータ構造図であって、（ａ）は、第１発光素子とその照度分布への照度の影響に寄与する第２発光素子との対応関係及び第２発光素子の光量を増加させる第３増加光量を記憶した第１光量テーブルの一例であり、（ｂ）は、第２発光素子とその照度分布への照度の影響に寄与する第１発光素子との対応関係及び第１発光素子の光量を増加させる第４増加光量を記憶した第２光量テーブルの一例である。
【図１５】第１光源基板及び第２光源基板にそれぞれ搭載された第１光源群及び第２光源群の配列状態の他の例を示す概略平面図である。
【図１６】何れの発光素子も同一光量とした場合において光軸照射位置が何れも一致していない照度分布の一例を示すグラフであって、（ａ）は、第１光源群における第１発光素子の光軸を第１光源群単独で光照射領域に照射した場合での照度分布を示す図であり、（ｂ）は、第２光源群における第２発光素子の光軸を第２光源群単独で光照射領域に照射した場合での照度分布を示す図であり、（ｃ）は、第１及び第２光源群における第１及び第２発光素子の光軸を光照射領域に照射した場合での照度分布を示す図である。
【図１７】図１６（ｃ）に示す照度分布に対して第１発光素子及び第２発光素子の光量を照度ムラの基準範囲内に入る光量に設定した照度分布を示すグラフである。
【図１８】４列の第１から第４光源群を備えた光源の一例を示す概略側面図である。
【図１９】図１８に示す光源から第１から第４光源群を取り出して並べた平面図である。
【図２０】第１から第４光源群における第１から第４発光素子の光軸を光照射領域に照射した場合での照度分布を示すグラフである。
【図２１】第１光源群の何れの第１発光素子も同一光量とし、第２光源群の何れの第２発光素子も同一光量であって第１発光素子とは異なる光量とした場合での実施例１の光量分布を示すグラフであって、（ａ）は、第１光源群単独での光量分布を示す図であり、（ｂ）は、第２光源群単独での光量分布を示す図であり、（ｃ）は、第１及び第２光源群の光量分布を合成した光量分布を示す図である。
【図２２】実施例１の構成において第１光源群及び第２光源群間で光軸照射位置が一致している発光素子に対して光量を下げた場合での実施例２の光量分布を示すグラフであって、（ａ）は、第１光源群単独での光量分布を示す図であり、（ｂ）は、第２光源群単独での光量分布を示す図であり、（ｃ）は、第１及び第２光源群の光量分布を合成した光量分布を示す図である。
【発明を実施するための形態】
【００３８】
以下、本発明に係る実施の形態について図面を参照しながら説明する。なお、以下に示す実施の形態は、本発明を具体化した例であって、本発明の技術的範囲を限定する性格のものではない。
【００３９】
図１は、本発明の実施の形態に係る画像読取装置１００を備えた画像形成装置Ｄを概略的に示す断面図である。
【００４０】
図１に示す画像形成装置Ｄは、原稿Ｇ（後述する図２等参照）の画像を読み取る画像読取装置１００と、画像読取装置１００により読み取られた原稿Ｇの画像又は外部から受信した画像をカラーもしくは単色で普通紙等の記録シートに記録形成する装置本体Ｄｄとを備えている。
【００４１】
［画像形成装置の全体構成について］
画像形成装置Ｄの装置本体Ｄｄは、露光装置１、現像装置２（２ａ，２ｂ，２ｃ，２ｄ）、像担持体として作用する感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、転写部として作用する中間転写ローラ６（６ａ，６ｂ，６ｃ，６ｄ）を含む中間転写ベルト装置８、定着装置１２、シート搬送装置５０、給紙部として作用する給紙トレイ１０、及び排紙部として作用する排紙トレイ１５を備えている。
【００４２】
画像形成装置Ｄの装置本体Ｄｄにおいて扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。従って、現像装置２（２ａ，２ｂ，２ｃ，２ｄ）、感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、中間転写ローラ６（６ａ，６ｂ，６ｃ，６ｄ）は各色に応じた４種類の画像を形成するようにそれぞれ４個ずつ設けられ、それぞれの末尾符号ａ〜ｄのうち、ａがブラックに、ｂがシアンに、ｃがマゼンタに、ｄがイエローに対応付けられて、４つの画像ステーションが構成されている。以下、末尾符号ａ〜ｄは省略して説明する。
【００４３】
感光体ドラム３は、装置本体Ｄｄの上下方向のほぼ中央に配置されている。帯電器５は、感光体ドラム３の表面を所定の電位に均一に帯電させるための帯電手段であり、接触型であるローラ型やブラシ型の帯電器のほか、チャージャ型の帯電器が用いられる。
【００４４】
露光装置１は、ここでは、レーザダイオード及び反射ミラーを備えたレーザスキャニングユニット（ＬＳＵ）であり、帯電された感光体ドラム３表面を画像データに応じて露光して、その表面に画像データに応じた静電潜像を形成する。
【００４５】
現像装置２は、感光体ドラム３上に形成された静電潜像を（Ｋ，Ｃ，Ｍ，Ｙ）のトナーにより現像する。クリーナ装置４は、現像及び画像転写後に感光体ドラム３表面に残留したトナーを除去及び回収する。
【００４６】
感光体ドラム３の上方に配置されている中間転写ベルト装置８は、中間転写ローラ６に加えて、中間転写ベルト７、中間転写ベルト駆動ローラ２１、従動ローラ２２、テンションローラ２３、及び中間転写ベルトクリーニング装置９を備えている。
【００４７】
中間転写ベルト駆動ローラ２１、中間転写ローラ６、従動ローラ２２、テンションローラ２３等のローラ部材は、中間転写ベルト７を張架して支持し、中間転写ベルト７を所定のシート搬送方向（図中矢印方向）に周回移動させる。
【００４８】
中間転写ローラ６は、中間転写ベルト７内側に回転可能に支持され、中間転写ベルト７を介して感光体ドラム３に圧接されている。
【００４９】
中間転写ベルト７は、各感光体ドラム３に接触するように設けられており、各感光体ドラム３表面のトナー像を中間転写ベルト７に順次重ねて転写することによって、カラーのトナー像（各色のトナー像）を形成する。この転写ベルト７は、ここでは、厚さ１００μｍ〜１５０μｍ程度のフィルムを用いて無端ベルト状に形成されている。
【００５０】
感光体ドラム３から中間転写ベルト７へのトナー像の転写は、中間転写ベルト７内側（裏面）に圧接されている中間転写ローラ６によって行われる。中間転写ローラ６には、トナー像を転写するために高電圧の転写バイアス（例えば、トナーの帯電極性（−）とは逆極性（＋）の高電圧）が印加される。中間転写ローラ６は、ここでは、直径８〜１０ｍｍの金属（例えばステンレス）軸をベースとし、その表面は、導電性の弾性材（例えばＥＰＤＭ、発泡ウレタン等）により覆われたローラである。この導電性の弾性材により、中間転写ベルト７に対して均一に高電圧を印加することができる。
【００５１】
画像形成装置Ｄの装置本体Ｄｄは、転写部として作用する転写ローラ１１ａを含む２次転写装置１１をさらに備えている。転写ローラ１１ａは、中間転写ベルト７の中間転写ベルト駆動ローラ２１とは反対側（外側）に接触している。
【００５２】
上述の様に各感光体ドラム３表面のトナー像は、中間転写ベルト７で積層され、画像データによって示されるカラーのトナー像となる。このように積層された各色のトナー像は、中間転写ベルト７と共に搬送され、２次転写装置１１によって記録シート上に転写される。
【００５３】
中間転写ベルト７と２次転写装置１１の転写ローラ１１ａとは、相互に圧接されてニップ域を形成する。また、２次転写装置１１の転写ローラ１１ａには、中間転写ベルト７上の各色のトナー像を記録シートに転写させるための電圧（例えば、トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラや発泡性樹脂ローラ等）としている。
【００５４】
また、２次転写装置１１によって中間転写ベルト７上のトナー像が記録シート上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、例えばクリーニング部材として中間転写ベルト７に接触するクリーニングブレードが備えられており、このクリーニングブレードで残留トナーを除去及び回収することができる。従動ローラ２２は、中間転写ベルト７を内側（裏側）から支持しており、クリーニングブレードは、外部から従動ローラ２２に向けて押圧するように中間転写ベルト７に接触している。
【００５５】
給紙トレイ１０は、記録シートを格納しておくためのトレイであり、装置本体Ｄｄの画像形成部１１０の下側に設けられている。また、画像形成部１１０の上側に設けられている排紙トレイ１５は、印刷済みの記録シートをフェイスダウンで載置するためのトレイである。
【００５６】
また、装置本体Ｄｄには、給紙トレイ１０の記録シートを２次転写装置１１や定着装置１２を経由させて排紙トレイ１５に送るためのシート搬送装置５０が設けられている。このシート搬送装置５０は、Ｓの字形状のシート搬送路Ｓを有し、シート搬送路Ｓに沿って、ピックアップローラ１６、サバキローラ１４ａ、分離ローラ１４ｂ、各搬送ローラ１３、レジスト前ローラ対１９、レジストローラ対１０６、定着装置１２、及び排紙ローラ１７等の搬送部材が配置されている。
【００５７】
ピックアップローラ１６は、給紙トレイ１０のシート搬送方向下流側端部に設けられ、給紙トレイ１０から記録シートを１枚ずつシート搬送路Ｓに供給する呼び込みローラである。サバキローラ１４ａは、分離ローラ１４ｂとの間に記録シートを通過させて１枚ずつ分離しつつシート搬送路Ｓへと搬送する。各搬送ローラ１３及びレジスト前ローラ対１９は、記録シートの搬送を促進補助するための小型のローラである。各搬送ローラ１３は、シート搬送路Ｓに沿って複数箇所に設けられている。レジスト前ローラ対１９は、レジストローラ対１０６のシート搬送方向上流側の直近に設けられており、記録シートをレジストローラ対１０６へと搬送するようになっている。
【００５８】
レジストローラ対１０６は、レジスト前ローラ１９にて搬送されてきた記録シートを一旦停止させて、記録シートの先端を揃え、中間転写ベルト７と２次転写装置１１間のニップ域で中間転写ベルト７上のカラートナー像が記録シートに転写されるように、感光体ドラム３及び中間転写ベルト７の回転にあわせて、記録シートをタイミングよく搬送する。
【００５９】
例えば、レジストローラ対１０６は、中間転写ベルト７と２次転写装置１１との間のニップ域で中間転写ベルト７上のカラートナー像の先端が記録シートにおける画像形成範囲の先端に合うように、記録シートを搬送する。
【００６０】
定着装置１２は、ヒートローラ３１及び加圧ローラ３２を備えている。ヒートローラ３１及び加圧ローラ３２は、記録シートを挟み込んで搬送する。
【００６１】
ヒートローラ３１は、所定の定着温度となるように温度制御され、加圧ローラ３２と共に記録シートを熱圧着することにより、記録シートに転写されたトナー像を溶融、混合、圧接し、記録シートに対して熱定着させる機能を有している。また、定着装置１２には、ヒートローラ３１を外部から加熱するための外部加熱ベルト３３が設けられている。
【００６２】
各色のトナー像の定着後での記録シートは、排紙ローラ１７によって排紙トレイ１５上に排出される。
【００６３】
なお、４つの画像形成ステーションのうち少なくとも一つを用いて、モノクロ画像を形成し、モノクロ画像を中間転写ベルト装置８の中間転写ベルト７に転写することも可能である。このモノクロ画像も、カラー画像と同様に、中間転写ベルト７から記録シートに転写され、記録シート上に定着される。
【００６４】
また、記録シートの表（オモテ）面だけではなく、両面の画像形成を行う場合は、記録シートの表面の画像を定着装置１２により定着した後に、記録シートをシート搬送路Ｓの排紙ローラ１７により搬送する途中で、排紙ローラ１７を停止させてから逆回転させ、記録シートを表裏反転経路Ｓｒに通して、記録シートの表裏を反転させてから、記録シートを再びレジストローラ対１０６へと導き、記録シートの表面と同様に、記録シートの裏面に画像を記録して定着し、記録シートを排紙トレイ１５に排出する。
【００６５】
［画像読取装置の全体構成について］
図２は、図１に示す画像読取装置１００を背面から視た概略断面図である。図１及び図２に示す画像読取装置１００は、縮小光学系タイプの画像読取装置とされており、原稿移動方式により原稿Ｇを移動させて原稿画像を読み取り、かつ、原稿固定方式により原稿Ｇを固定して原稿画像を読み取るように構成されている。
【００６６】
すなわち、画像読取装置１００は、原稿移動読取モードを実行する原稿移動読取構成（原稿移動読取機能）と原稿固定読取モードを実行する原稿固定読取構成（原稿固定読取機能）とを備えている。
【００６７】
原稿移動読取構成は、原稿Ｇを自動的に搬送する自動原稿送り装置３００で第１の透明板の一例である原稿読取ガラス２０１ａ上を通過するように副走査方向（図中矢印Ｙ１方向）の一方側に搬送される原稿Ｇを、原稿読取部２００において読取位置Ｖに位置する光源ユニット２１０（照明装置の一例）にて原稿読取ガラス２０１ａを介して照明しつつ光源ユニット２１０により照明された原稿Ｇからの反射光を主走査方向（図２の矢印Ｘ方向）に走査して原稿画像を読み取る。
【００６８】
原稿固定読取構成は、光源ユニット２１０を副走査方向Ｙの一方側に移動させつつ第２の透明板の一例であるプラテンガラス（原稿台ガラス）２０１ｂ上に載置される原稿Ｇをプラテンガラス２０１ｂを介して照明し、光源ユニット２１０により照明された原稿Ｇからの反射光を主走査方向Ｘに走査して原稿画像を読み取る。なお、図２では光源ユニット２１０が読取位置Ｖに位置している状態を示している。
【００６９】
詳しくは、原稿読取部２００は、プラテンガラス２０１ｂ、走査体として作用する光源ユニット２１０、光源ユニット２１０を移動させる光学系駆動部５３０（図１及び図２では図示せず、後述する図８参照）、ミラーユニット２０３、集光レンズ２０４及び光電変換素子（ここではＣＣＤ）２０５を備えており、これらの部材は金属製の枠体２０２内に収容されている。光源ユニット２１０は、原稿Ｇへ向けて光を照射する光源２１１と、原稿Ｇからの反射光をミラーユニット２０３へ導く第１ミラー２３０とを有している。なお、第１及び第２発光素子２１２ａ，…，２１２ｂ，…や第１及び第２光源基板２１３ａ，２１３ｂ等の構成部材を備えた光源ユニット２１０についてはのちほど図３を参照しながら詳しく説明する。
【００７０】
原稿Ｇを載置するプラテンガラス２０１ｂは、透明なガラス板からなり、主走査方向Ｘの両端部が枠体２０２に載置されている。なお、自動原稿送り装置３００は、副走査方向Ｙに沿った軸線回りに（例えばヒンジによって軸支され）原稿読取部２００に対して開閉可能となっており、その下面には、原稿読取部２００のプラテンガラス２０１ｂ上に載置された原稿Ｇを上から押さえる原稿押さえ部材３１９が設けられている。
【００７１】
ミラーユニット２０３は、第２ミラー２０３ａ、第３ミラー２０３ｂ及び支持部材（図示せず）を備えている。前記支持部材は、第２ミラー２０３ａを、光源ユニット２１０における第１ミラー２３０からの光を反射して第３ミラー２０３ｂに導くように支持している。また、前記支持部材は、第３ミラー２０３ｂを、第２ミラー２０３ａからの光を反射して集光レンズ２０４に導くように支持している。集光レンズ２０４は、第３ミラー２０３ｂからの光を光電変換素子２０５の受光面２０５ｄに集光するものである。光電変換素子２０５は、集光レンズ２０４からの光（原稿画像光）を繰り返し主走査方向Ｘに走査し、その度に、１走査ラインのアナログ信号を出力する。
【００７２】
また、光学系駆動部５３０は、ここでは、図示しないスキャナモータ及び図示しないプーリー及びワイヤー等の移動機構を備えており、これらスキャナモータ及び移動機構によって、光源ユニット２１０を一定の速度で副走査方向Ｙに移動させると共に、ミラーユニット２０３を光源ユニット２１０の移動速度の１／２の移動速度で同じく副走査方向Ｙに移動させるように構成されている。
【００７３】
ここでは、原稿読取部２００は、原稿固定方式に加えて、原稿移動方式にも対応しており、原稿読取ガラス２０１ａを備えている。従って、光学系駆動部５３０は、さらに、光源ユニット２１０を原稿読取ガラス２０１ａ下方の所定のホームポジションＶに位置させるように構成されている。
【００７４】
自動原稿送り装置３００は、原稿Ｇを搬送するために載置する原稿トレイ３０１と、この原稿トレイ３０１の下方に配置される排出トレイ３０２と、これらの間を接続する第１搬送路３０３と、上流側搬送ローラ対３０４及び下流側搬送ローラ対３０５とからなる２つの搬送ローラ対とを備えている。
【００７５】
上流側搬送ローラ対３０４は、原稿読取ガラス２０１ａを基準にして原稿Ｇを原稿Ｇの搬送方向Ｙ１において上流側で搬送する。下流側搬送ローラ対３０５は、原稿読取ガラス２０１ａを基準にして原稿Ｇを原稿Ｇの搬送方向Ｙ１において下流側で搬送する。すなわち、上流側搬送ローラ対３０４、原稿読取ガラス２０１ａ及び下流側搬送ローラ対３０５は、搬送方向Ｙ１に沿ってこの順に配設されている。また、原稿読取ガラス２０１ａは、第１搬送路３０３の搬送壁の一部を構成する様に略水平に設けられている。
【００７６】
自動原稿送り装置３００は、さらに、ピックアップローラ３０６と、サバキローラ３０７と、分離パッド等の分離部材３０８とを備えている。
【００７７】
ピックアップローラ３０６は、原稿トレイ３０１上に載置された原稿Ｇを原稿トレイ３０１から搬送方向Ｙ１に沿って第１搬送路３０３内へ送り出すものである。サバキローラ３０７は、ピックアップローラ３０６より搬送方向Ｙ１の下流側に配置されており、ピックアップローラ３０６にて送られてきた原稿Ｇを分離部材３０８と共に挟持しつつさらに搬送方向Ｙ１の下流側へ搬送するものである。分離部材３０８は、サバキローラ３０７に対峙された状態でサバキローラ３０７との間に搬送される原稿Ｇが１枚になるように原稿Ｇを捌く（分離する）ようになっている。
【００７８】
かかる構成を備えた自動原稿送り装置３００は、原稿Ｇをピックアップローラ３０６にてサバキローラ３０７と分離部材３０８との間に搬送し、ここで原稿Ｇを捌いて分離すると共にサバキローラ３０７が回転駆動されることによって１枚ずつ搬送するようになっている。そして、サバキローラ３０７にて搬送される原稿Ｇを第１搬送路３０３にて案内して上流側搬送ローラ対３０４に向けて１枚ずつ供給するようになっている。
【００７９】
詳しくは、ピックアップローラ３０６は、原稿トレイ３０１に積載された原稿Ｇに対して、図示しないピックアップローラ駆動部にて接離可能とされている。また、ピックアップローラ３０６は、無端ベルト等を含む駆動伝達手段３０９を介してサバキローラ３０７と同方向に回転するようにサバキローラ３０７に連結されている。ピックアップローラ３０６及びサバキローラ３０７は、原稿Ｇの読み取り要求がなされると、図示しない原稿供給駆動部にて原稿Ｇを搬送方向Ｙ１に搬送させる方向（図２中矢印Ｗ）に回転駆動されるようになっている。
【００８０】
本実施の形態では、自動原稿送り装置３００は、原稿Ｇの一方の面を読み取り可能に搬送した後、原稿Ｇを表裏が逆転するように反転させて原稿Ｇの他方の面を読み取り可能に搬送するように構成されている。
【００８１】
詳しくは、自動原稿送り装置３００は、前記の構成に加えて、さらに、反転ローラ対３１０と、第２搬送路３１１と、切換爪３１２とを備えている。
【００８２】
第１搬送路３０３は、原稿Ｇをサバキローラ３０７から上流側搬送ローラ対３０４、原稿読取ガラス２０１ａ、下流側搬送ローラ対３０５及び反転ローラ対３１０を経て排出トレイ３０２へ搬送するようにループ状に形成されている。反転ローラ対３１０は、下流側搬送ローラ対３０５よりも搬送方向Ｙ１の下流側に配設され、かつ、下流側搬送ローラ対３０５からの原稿Ｇを後端（搬送方向Ｙ１上流側端）が前になるように搬送するためのものである。第２搬送路３１１は、反転ローラ対３１０と下流側搬送ローラ対３０５との間の分岐部Ｓｄから分岐され、かつ、反転ローラ対３１０にて後端が前になるように搬送された原稿Ｇを原稿Ｇの表裏が逆転するように反転させるために第１搬送路３０３の上流側搬送ローラ対３０４よりも搬送方向Ｙ１の上流側へ導くものである。第１搬送路３０３の反転ローラ対３１０と分岐部Ｓｄとの間には、スイッチバック搬送路３１３が形成されている。このスイッチバック搬送路３１３は、反転ローラ対３１０の順方向（原稿Ｇの搬送方向Ｙ１）の回転による原稿Ｇの搬送と、逆方向の回転による原稿Ｇの逆搬送とが可能な搬送路とされている。
【００８３】
切換爪３１２は、分岐部Ｓｄに配置され、かつ、原稿Ｇを反転ローラ対３１０から第２搬送路３１１を介して上流側搬送ローラ対３０４へ導く第１切換姿勢と、原稿Ｇを下流側搬送ローラ対３０５からスイッチバック搬送路３１３を介して反転ローラ対３１０へ導く第２切換姿勢とをとり得るように構成されている。
【００８４】
ここでは、切換爪３１２は、通常状態では、スイッチバック搬送路３１３と第２搬送路３１１とを直結する形態で配置され（第１切換姿勢、図２中実線参照）、原稿読取部２００で原稿画像が読み取られた原稿Ｇが搬送方向Ｙ１に搬送される際には、原稿Ｇの先端（搬送方向Ｙ１下流側端）が切換爪３１２を押し上げて原稿Ｇをスイッチバック搬送路３１３へ導くようになっている（第２切換姿勢、図中破線参照）。この分岐爪３１２は、爪部３１２ａが自重で落下し、下流側搬送ローラ対３０５と反転ローラ対３１０との間の第１搬送路３０３を閉塞して前記第１切換姿勢をとるように反転ローラ対３１１の軸線方向に沿った揺動軸Ｑの回りに揺動自在とされている。そして、切換爪３１２は、原稿Ｇの後端がスイッチバック搬送路３１３内に位置し、原稿Ｇが逆方向に回転する反転ローラ対３１０にて原稿Ｇの搬送方向Ｙ１とは反対方向の逆搬送方向（図中矢印Ｙ２方向）に逆搬送される際には、原稿Ｇを第２搬送路３１１へ導くようになっている。
【００８５】
なお、原稿トレイ３０１に載置された原稿Ｇのサイズは、原稿トレイ３０１の原稿載置部に配設された原稿サイズセンサ３１４で検出されるようになっている。原稿トレイ３０１に載置された原稿Ｇの有無は、原稿トレイ３０１の原稿載置部のピックアップローラ３０６近傍に配設された原稿有無検知センサ３１５で検出されるようになっている。また、上流側搬送ローラ対３０４は、停止状態においてサバキローラ３０７にて搬送された原稿Ｇの先端を突き合わせて整合し、読み取りタイミングに合わせて回転駆動されるようになっている。こうして搬送される原稿Ｇは、第１搬送路３０３の搬送方向Ｙ１において第２搬送路３１１より下流側、かつ、上流側搬送ローラ対３０４より下流側に配設された搬送センサ３１６で検出されるようになっている。また、反転ローラ対３１０にて排出される原稿Ｇは、反転ローラ対３１０より排出側で反転ローラ対３１０近傍に配設された排出センサ３１７で検出されるようになっている。なお、搬送ローラ対３０４，３０５、反転ローラ対３１０等の搬送系ローラは、図示しない搬送系の駆動部にて駆動されるようになっている。
【００８６】
また、本実施の形態においては、原稿搬送部２００は、デジタル画像信号の値をフラットにするシェーディング補正時に読み取るための白基準部材（ここでは白基準板）３１８をさらに備えている。具体的には、白基準部材３１８は、原稿読取ガラス２０１ａと対向する位置に設けられた読取ガイド部材とされている。つまり、白基準部材３１８は、搬送される原稿Ｇを原稿読取ガラス２０１ａと共に案内する読取ガイドとしても機能するようになっている。
【００８７】
以上説明した画像読取装置１００では、原稿固定方式による原稿Ｇの読み取り指示がなされると、光源ユニット２１０はプラテンガラス２０１ｂに載置される原稿Ｇに対して光をプラテンガラス２０１ｂを介して照射しながら一定の速度で副走査方向Ｙの一方側に移動して原稿Ｇの画像を走査し、それと同時にミラーユニット２０３は光源ユニット２１０の移動速度の１／２の移動速度で同じく副走査方向Ｙの一方側に移動する。
【００８８】
光源ユニット２１０にて照明されて原稿Ｇから反射された反射光は、光源ユニット２１０に設けられた第１ミラー２３０で反射したのち、ミラーユニット２０３の第２及び第３ミラー２０３ａ，２０３ｂによって１８０°光路変換される。第３ミラー２０３ｂから反射された光は、集光レンズ２０４を介して光電変換素子２０５の受光面２０５ｄに結像し、ここで原稿画像光が読み取られてアナログ信号に変換される。
【００８９】
一方、原稿移動方式による原稿Ｇの読み取り指示がなされると、光源ユニット２１０が図２に示される位置Ｖに静止したまま、自動原稿送り装置３００によって原稿Ｇが図２に示される位置Ｖの上部を通過するように副走査方向Ｙの一方側に搬送される。すなわち、原稿トレイ３０１に載置された原稿Ｇは、ピックアップローラ３０６によって取り出され、サバキローラ３０７及び分離部材３０８によって１枚ずつに分離され、第１搬送路３０３に搬送される。第１搬送路３０３に搬送された原稿Ｇは、搬送センサ３１６で原稿Ｇの搬送が確認された後、上流側搬送ローラ対３０４によって、斜行防止のために先端が揃えられると共に、規定の読み取りタイミングで送り出され、表裏が反転されて原稿読取ガラス２０１ａへと搬送される。
【００９０】
そして、原稿読取ガラス２０１上を通過した原稿Ｇの一方の面に、光源ユニット２１０からの光が原稿読取ガラス２０１を介して照射されて該一方の面で反射される。この原稿Ｇの一方の面から反射された光は、上述の原稿固定方式と同様に第１ミラー２３０によって反射された後、ミラーユニット２０３の第２及び第３ミラー２０３ａ，２０３ｂによって１８０°光路変換され、集光レンズ２０４を介して光電変換素子２０５の受光面２０５ｄに結像し、ここで原稿画像が読み取られてアナログ信号に変換される。なお、この光電変換素子２０５による読み取り動作は、後述する両面読み取りの場合も同様であり、以下では説明を省略する。
【００９１】
読み取りが終了した原稿Ｇは、下流側搬送ローラ対３０５によって読取ガラス２０１ｂ上から引き出され、第１搬送路３０３のスイッチバック搬送路３１３を介して、可逆回転可能な反転ローラ対３１０によって排出トレイ３０２上に排出される。
【００９２】
また、原稿Ｇの一方の面と他方の面との両面を読み取る場合には、一方の面が読み取られた原稿Ｇが排出トレイ３０２に排出されることなく、原稿Ｇの後端がスイッチバック搬送路３１３内に位置するように搬送され、逆方向に回転する反転ローラ対３１０にて逆搬送方向Ｙ２に逆搬送されて第１切換姿勢にある切換爪３１２にて第２搬送路３１１へ導かれる。第２搬送路３１１に導かれた原稿Ｇは、第２搬送路３１１を介して、再度、第１搬送路３０３に戻ることで、表裏が反転されて上流側搬送ローラ対３０４にて搬送され、原稿読取ガラス２０１上を通過して他方の面が読み取られる。こうして両面の読み取りが終わった原稿Ｇは、再度、第１搬送路３０３に戻ることで、表裏が反転されて搬送ローラ対３０４，３０５にて搬送され、その後、第１搬送路３０３のスイッチバック搬送路３１３を通過し、順方向に回転する反転ローラ対３１０を介して排出トレイ３０２に排出される。
【００９３】
図３は、光源ユニット２１０の概略構成を示す図である。図３（ａ）は、その斜視図を示しており、図３（ｂ）は、その分解斜視図を示している。図４は、光源ユニット２１０における光源２１１の概略構成を示す図である。図４（ａ）は、光源ユニット２１０の側面図を示しており、図４（ｂ）は、光源２１１の側面図を示している。なお、図４においては、原稿読取ガラス２０１ａ、プラテンガラス２０１ｂ及び原稿Ｇも図示している。
【００９４】
本実施の形態では、光源２１１は、複数列の光源群（具体的には第１光源群２２０ａ及び第２光源群２２０ｂ）を備えている。第１光源群２２０ａ及び第２光源群２２０ｂは、原稿Ｇにおける主走査方向Ｘに延びる一定の光照射領域Ｌｄを間にして、主走査方向Ｘに直交する光照射面Ｇｄに沿った副走査方向Ｙの両側に列設されている。第１光源群２２０ａ及び第２光源群２２０ｂは、それぞれ、複数個の発光素子（具体的には第１発光素子２１２ａ，…及び第２発光素子２１２ｂ，…）を備えている。第１発光素子２１２ａ，…及び第２発光素子２１２ｂ，…）は、各光軸Ｌａ，…，Ｌｂ，…が主走査方向Ｘに対して直角になるように配置されている。
【００９５】
詳しくは、光源２１１は、副走査方向Ｙの両側のうち、一方側には複数個の第１発光素子２１２ａ，…で構成される第１光源群２２０ａが主走査方向Ｘに列設されており、他方側には複数個の第２発光素子２１２ｂ，…で構成される第２光源群２２０ｂが主走査方向Ｘに列設されている。
【００９６】
光源２１１は、主走査方向Ｘに延びる互いに平行な複数の基板（具体的には第１及び第２光源基板２１３ａ，２１３ｂ）を備えている。第１光源基板２１３ａには、複数個の第１発光素子２１２ａ，…が搭載され、第２光源基板２１３ｂには、複数個の第２発光素子２１２ｂ，…が搭載されている。
【００９７】
より具体的には、光源ユニット２１０は、発光素子アレイユニット２１５と、発光素子アレイユニット２１５が設けられたミラーベースユニット２１６とを備えている。
【００９８】
発光素子アレイユニット２１５は、第１発光素子２１２ａ，…と、第１光源基板２１３ａと、第２発光素子２１２ｂ，…と、第２光源基板２１３ｂと、第１光源基板２１３ａ及び第２光源基板２１３ｂが設けられた基台２１４とを備えている。
【００９９】
詳しくは、第１光源基板２１３ａ及び第２光源基板２１３ｂは、長手方向が主走査方向Ｘに向くように基台２１４に配置されている。基台２１４は、第１及び第２光源基板２１３ａ，２１３ｂを副走査方向Ｙに所定の間隔をあけて主走査方向Ｘ両端側でビス等の固定部材ＳＣにて固定している。こうして、第１発光素子２１２ａ，…と第２発光素子２１２ｂ，…とが、光照射領域Ｌｄを間にして、副走査方向Ｙの両側に主走査方向Ｘに沿ってそれぞれ列設されている。
【０１００】
基台２１４には、さらに、第１光源基板２１３ａと第２光源基板２１３ｂとの間において、原稿Ｇからの反射光Ｌ１を通過させるための主走査方向Ｘに沿って延びる開口（ここではスリット）Ｒが形成されている。このスリットＲは、原稿の読み取りの際には、原稿読取位置である光照射領域Ｌｄの下方に配置される。第１光源群２２０ａ及び第２光源群２２０ｂは、スリットＲの短手方向の両側に配列されている。
【０１０１】
ミラーベースユニット２１６には、第１ミラー２３０が設けられている。詳しくは、第１ミラー２３０は、原稿Ｇの光照射面Ｇｄで反射した光を基台２１４に設けられたスリットＲを介してミラーユニット２０３の第２ミラー２０３ａに導くようにミラーベースユニット２１６の主走査方向Ｘに沿った開口２１６ａに挿通された状態で支持されている。
【０１０２】
また、本実施の形態では、図４（ｂ）に示すように、複数個の第１発光素子２１２ａ，…及び複数個の第２発光素子２１２ｂ，…は、それぞれ、搭載される第１光源基板２１３ａ及び第２光源基板２１３ｂの発光素子の配置面Ｆに対して光軸Ｌａ，…，Ｌｂ，…が平行になるように光を射出するサイド発光を行う発光面Ｅ１を有している。具体的には、第１発光素子２１２ａ，…を搭載した第１光源基板２１３ａと、第２発光素子２１２ｂ，…を搭載した第２光源基板２１３ｂとは、側面視において光軸Ｌａ，…，Ｌｂ，…の方向が光照射領域Ｌｄ側へ向くように原稿Ｇ側とは反対側が開いた逆「Ｖ字」形に配置されている。光照射領域Ｌｄは、第１光源基板２１３ａ及び第２光源基板２１３ｂの中間に位置している。
【０１０３】
また、搭載される第１光源基板２１３ａ及び第２光源基板２１３ｂの配置面Ｆに対して光軸Ｌａ，…，Ｌｂ，…が垂直になるように光を射出する頂面発光を行ってもよい。
【０１０４】
なお、図３において、符号Ｐ１は、第１発光素子２１２ａ，…のピッチを示しており、符号Ｐ２は、第２発光素子２１２ｂ，…のピッチを示している。また、図４（ｂ）において、符号Ｈａは、各第１発光素子２１２ａ，…から光照射領域Ｌｄまでの光軸Ｌａの距離である第１光軸距離を示しており、符号Ｈｂは、各第２発光素子２１２ｂ，…，から光照射領域Ｌｄまでの光軸Ｌｂの距離である第２光軸距離を示している。
【０１０５】
図５は、第１発光素子２１２ａ，…及び第２発光素子２１２ｂ，…が頂面発光を行う一例を示す概略側面図である。
【０１０６】
図５に示すように、第１発光素子２１２ａ，…及び第２発光素子２１２ｂ，…が頂面発光を行う発光面Ｅ２を有する場合には、光軸Ｌａ，…，Ｌｂ，…の方向が光照射領域Ｌｄ側へ向くように原稿Ｇ側が開いた「Ｖ字」形に第１光源基板２１３ａ及び第２光源基板２１３ｂを配置することができる。光照射領域Ｌｄは、第１光源基板２１３ａ及び第２光源基板２１３ｂの中間に位置している。
【０１０７】
このように発光素子は図４及び図５に示す配置構成とすることができるが、発光素子がサイド発光と頂面発光とのうち何れかの発光を行う場合、光源ユニット２１０内の構成部品の配置構成に応じて、サイド発光を行う構成と頂面発光を行う構成との使い分けを行うことで、光源ユニット２１０内の空いたスペースを有効に利用することができる。
【０１０８】
図６は、第１光源基板２１３ａ及び第２光源基板２１３ｂにそれぞれ搭載された第１光源群２２０ａ及び第２光源群２２０ｂの配列状態の一例を示す概略平面図である。
【０１０９】
図６に示すように、光源２１１は、第１光源基板２１３ａ及び第２光源基板２１３ｂ上にそれぞれ列設された第１光源群２２０ａ及び第２光源群２２０ｂからの光を原稿Ｇの光照射面Ｇｄ（具体的には光照射領域Ｌｄ）に向けて照射するようになっている。第１光源群２２０ａ及び第２光源群２２０ｂは、それぞれ、複数個の第１発光素子２１２ａ（１），…，２１２ａ（ｉ）（ｉは２以上の整数）及び複数個の第２発光素子２１２ｂ（１），…，２１２ｂ（ｊ）（ｊは２以上の整数）を備えている。本実施の形態では、ｉは１６とされており、ｊは１２とされている。以下、ｉを１６とし、ｊを１２として説明する。
【０１１０】
第１発光素子２１２ａ（１），…，２１２ａ（１６）及び第２発光素子２１２ｂ（１），…，２１２ｂ（１２）は、何れも発光ダイオード（ＬＥＤ）素子とされている。第１及び第２発光素子２１２ａ（１），…，２１２ａ（１６），２１２ｂ（１），…，２１２ｂ（１２）は、所定の一方向に強い指向特性を有している。第１及び第２発光素子２１２ａ（１），…，２１２ａ（１６），２１２ｂ（１），…，２１２ｂ（１２）から射出される光のうち光束が最も強くなる方向が光軸Ｌａ，…，Ｌｂ，…とされている。なお、第１及び第２発光素子２１２ａ（１），…，２１２ａ（１６），２１２ｂ（１），…，２１２ｂ（１２）は、同じタイプ（型式）のものとされている。
【０１１１】
第１発光素子２１２ａ（１），…，２１２ａ（１６）及び第２発光素子２１２ｂ（１），…，２１２ｂ（１２）は、光照射領域Ｌｄ側に向けて光を照射するものである。光照射領域Ｌｄが原稿読取位置とされる。なお、第１光軸距離Ｈａ（図４（ｂ）参照）は何れも同一距離とされている。また、第２光軸距離Ｈｂ（図４（ｂ）参照）は何れも同一距離とされている。ここでは、第１光軸距離Ｈａ及び第２光軸距離Ｈｂは、同一距離とされている。
【０１１２】
（光源ユニットにおける発光素子の配列構成）
次に、光源２１１における第１発光素子２１２ａ（１），…，２１２ａ（１６）及び第２発光素子２１２ｂ（１），…，２１２ｂ（１２）の配列構成について説明する。
【０１１３】
第１光源群２２０ａにおける第１発光素子２１２ａ（１），…，２１２ａ（１６）は、同一光源群（具体的には２２０ａ）内において同一ピッチ（具体的にはＰ１）とされ、第２光源群２２０ｂにおける第２発光素子２１２ｂ（１），…，２１２ｂ（１２）は、同一光源群（具体的には２２０ｂ）内において同一ピッチ（具体的にはＰ２）とされている。また、第１発光素子２１２ａ（１），…，２１２ａ（１６）及び第２発光素子２１２ｂ（１），…，２１２ｂ（１２）は、第１光源群２２０ａ及び第２光源群２２０ｂ間において互いに異なるピッチ（Ｐ１＜Ｐ２）とされている。具体的には、ピッチＰ１は１８ｍｍとされ、ピッチＰ２は２４ｍｍとされている。なお、ピッチＰ１は、主走査方向Ｘにおける第１発光素子中心（光出射部）間の距離であり、ピッチＰ２は、主走査方向Ｘにおける第２発光素子中心（光出射部）間の距離である。なお、図６において、符号Ｋ１，…，Ｋｎ−１，Ｋｎは、光照射面Ｇｄへの光軸Ｌａ，…，Ｌｂ，…の主走査方向Ｘにおける照射位置である光軸照射位置を示している。
【０１１４】
図７は、何れの発光素子も同一光量とした場合において光照射領域Ｌｄでの主走査方向Ｘにおける照度分布α１，α２，α３の一例を示すグラフである。図７（ａ）は、第１光源群２２０ａにおける第１発光素子２１２ａ（１），…，２１２ａ（１６）の光軸Ｌａ，…を第１光源群２２０ａ単独で光照射領域Ｌｄに照射した場合での照度分布α１を示している。図７（ｂ）は、第２光源群２２０ｂにおける第２発光素子２１２ｂ（１），…，２１２ｂ（１２）の光軸Ｌｂ，…を第２光源群２２０ｂ単独で光照射領域Ｌｄに照射した場合での照度分布α２を示している。図７（ｃ）は、第１及び第２光源群２２０ａ，２２０ｂにおける第１及び第２発光素子２１２ａ（１），…，２１２ａ（１６），２１２ｂ（１），…，２１２ｂ（１２）の光軸Ｌａ，…，Ｌｂ，…を光照射領域Ｌｄに照射した場合での照度分布α３を示している。なお、図７（ａ）及び図７（ｂ）において、原稿Ｇの光照射面Ｇｄ（具体的には光照射領域Ｌｄ）での主走査方向Ｘの明暗の繰り返しによる照度ムラの中央の照度をＭ［Ｌｘ］としている。このことは、後述する図１６（ａ）及び図１６（ｂ）についても同様である。また、図７において、一方の端（図６中の左側の端）の発光素子を横軸の原点としており、符号β１〜β１６は、明部の頂点を示しており、符号γ１〜γ１５は、暗部の最下点を示している。このことは、後述する図９、図１６、図１７及び図２０についても同様である。
【０１１５】
図７に示すように、照度ムラを示す照度分布α３（図７（ｃ）参照）は、第１光源群２２０ａの照度分布α１（図７（ａ）参照）と第２光源群２２０ｂの照度分布α２（図７（ｂ）参照）とを合成した（足し合わせた）照度分布となっており、振幅や変動周期が一定になっていない。
【０１１６】
このように、本実施の形態によれば、第１光源群２２０ａにおける第１発光素子２１２ａ（１），…，２１２ａ（１６）は、同一光源群（具体的には２２０ａ）内において同一ピッチ（具体的にはＰ１）とされ、第２光源群２２０ｂにおける第２発光素子２１２ｂ（１），…，２１２ｂ（１２）は、同一光源群（具体的には２２０ｂ）内において同一ピッチ（具体的にはＰ２）とされ、第１光源群２２０ａ及び第２光源群２２０ｂ間において互いに異なるピッチ（Ｐ１＜Ｐ２）とされているので、原稿Ｇの光照射面Ｇｄでの主走査方向Ｘにおける照度分布α３（図７（ｃ）参照）の振幅や変動周期が一定にならないようにすることができ、これにより、照度ムラを目立ち難くすることが可能となる。
【０１１７】
本実施の形態では、第１光源群２２０ａ及び第２光源群２２０ｂ間において、光軸照射位置Ｋ１，…，Ｋｎ−１，Ｋｎ（図６参照）の少なくとも一つ（具体的にはＫ１，Ｋ７，…，Ｋｎ−５）が一致している。なお、ｎは３以上の整数である。本実施の形態では、ｎは２４とされている。以下、ｎを２４として説明する。
【０１１８】
すなわち、第１光源群２２０ａの第１発光素子２１２ａ（１），…，２１２ａ（１６）による光軸照射位置の少なくとも一つＫ１，Ｋ７，…，Ｋ１９と、第２光源群２２０ｂの第２発光素子２１２ｂ（１），…，２１２ｂ（１２）による光軸照射位置の少なくとも一つＫ１，Ｋ７，…，Ｋ１９とが一致している。
【０１１９】
具体的には、第１発光素子２１２ａ（１），…，２１２ａ（１６）の４つおきの光軸Ｌａと第２発光素子２１２ｂ（１），…，２１２ｂ（１２）の３つおきの光軸Ｌｂとが主走査方向Ｘに直交する同一仮想平面上に位置している。
【０１２０】
こうすることで、光軸照射位置Ｋ１，Ｋ７，…，Ｋ１９を第１光源群２２０ａ及び第２光源群２２０ｂ間におけるピッチの長さ（具体的にはＰ１＝１８ｍｍ，Ｐ２＝２４ｍｍ）に対する最小公倍数（具体的には７２ｍｍ）の長さ毎に一致させることができる。これにより、何れの発光素子も同一光量とした場合での第１光源群２２０ａ及び第２光源群２２０ｂ間における一致している光軸照射位置Ｋ１，Ｋ７，…，Ｋ１９で照度を最大にすることができる。これにより、照度分布α３（図７（ｃ）参照）の一致している光軸照射位置Ｋ１，Ｋ７，…，Ｋ１９の明部の頂点β１，β５，…，β１３以外の明部の頂点β２，β３，β４，β６，…，β１２，β１４，β１５，β１６の照度を低く抑えることができ、ひいては光量を設定すべき発光素子の数を減らすことができる。
【０１２１】
さらに、本実施の形態では、第１光源群２２０ａにおける第１発光素子２１２ａ（１），…，２１２ａ（１６）のピッチＰ１と、第２光源群２２０ｂにおける第２発光素子２１２ｂ（１），…，２１２ｂ（１２）のピッチＰ２とは、相手方の光源群におけるピッチの整数倍とは異なる長さとされている（図６参照）。これにより、第１光源群２２０ａ及び第２光源群２２０ｂ間において光軸照射位置が一致する発光素子を少なくして光軸照射位置の数を増やすことができる。
【０１２２】
図８は、本実施の形態に係る画像読取装置１００の制御系の概略構成を示す図であって、画像読取装置１００における制御部４００を中心に示す制御ブロック図である。
【０１２３】
図８に示すように、本実施の形態に係る画像読取装置１００は、さらに、画像読取装置１００全体の制御を司る制御部４００と、信号処理部５１０と、記憶部５２０とを備えている。
【０１２４】
制御部４００は、主制御部４１０と、原稿読取制御部４２０と、画像処理部４３０と、光量制御部４４０とを備えている。
【０１２５】
主制御部４１０は、原稿読取制御部４２０、画像処理部４３０、光量制御部４４０、信号処理部５１０及び光学系駆動部５３０に接続されている。
【０１２６】
詳しくは、主制御部４１０は、ＣＰＵ等の処理部４１０ａと、ＲＯＭ及びＲＡＭ等のメモリを含む記憶部４１０ｂとを含むマイクロコンピュータからなっている。画像読取装置１００は、主制御部４１０の処理部４１０ａが記憶部４１０ｂのＲＯＭに予め格納された制御プログラムを記憶部４１０ｂのＲＡＭ上にロードして実行することにより、各種構成要素を制御するようになっている。なお、主制御部４１０は、画像形成装置Ｄに設けられた画像形成動作全体を制御する制御部（図示せず）にて指示されるようになっている。
【０１２７】
原稿読取制御部４２０は、主制御部４１０からの指示信号に基づき、光電変換素子２０５による原稿Ｇの読み取り動作を制御する。
【０１２８】
信号処理部５１０は、光電変換素子２０５に接続されており、主制御部４１０からの指示信号に基づき、光電変換素子２０５からの信号を処理する。信号処理部５１０は、ここでは、アナログフロントエンド（ＡＦＥ）ＩＣとされており、光電変換素子２０５からの出力信号（撮像信号）に対してＯＢ（Optical Blank）クランプ、ＣＤＳ（Correlated Double Sampling）、ＡＧＣ(Auto Gain Control)、ＡＤＣ（Analog-to-Digital Conversion）などの信号処理を行う。信号処理部５１０は、光電変換素子２０５からのアナログ信号をデジタル信号（ここでは８ビットデジタル画像信号）に変換する回路を含んでいる。
【０１２９】
画像処理部４３０は、主制御部４１０からの指示信号に基づき、信号処理部５１０にて変換されたデジタル信号に対して各種の画像処理を行うものであり、ここでは、画像処理用ＡＳＩＣ（Application Specific Integrated Circuit）とされている。
【０１３０】
光量制御部４４０は、制御回路４４１と、設定部４４２と、調整部４４３とを備えている。光量制御部４４０は、ここでは、発光素子コントローラーとされており、第１及び第２発光素子２１２ａ（１），…，２１２ａ（１６），２１２ｂ（１），…，２１２ｂ（１２）に接続されている。光量制御部４４０は、主制御部４１０からの指示信号に基づき、第１及び第２発光素子２１２ａ（１），…，２１２ａ（１６），２１２ｂ（１），…，２１２ｂ（１２）のオン／オフ及び出射光量（具体的には電流値）を制御すものである。また、制御回路４４１は、検出部４４１ａを備えている。なお、検出部４４１ａ及び調整部４４３並びに記憶部５２０に記憶された第１及び第２位置テーブルＴＰ１，ＴＰ２、第１増加光量Ｎａ１，Ｎａ２、第２増加光量Ｎｂ１，Ｎｂ２並びに第１及び第２光量テーブルＴＬ１，ＴＬ２、第５増加光量Ｎｅ１，Ｎｅ２、第６増加光量Ｎｆ１，Ｎｆ２については、のちほど詳述する。
【０１３１】
設定部４４２は、第１光源群２２０ａにおける第１発光素子２１２ａ（１），…，２１２ａ（１６）及び第２光源群２２０ｂにおける第２発光素子２１２ｂ（１），…，２１２ｂ（１２）の光量を、予め記憶部５２０に記憶しておいた設定値Ｋｓに設定するものである。ここで、予め記憶部５２０に記憶しておいた設定値Ｋｓは、図７（ｃ）に示す照度分布α３に対して、第１光源群２２０ａにおける第１発光素子２１２ａ（１），…，２１２ａ（１６）の光量及び第２光源群２２０ｂにおける第２発光素子２１２ｂ（１），…，２１２ｂ（１２）の光量を照度ムラの基準範囲内に入る光量に変更する値である。
【０１３２】
ここで、「照度ムラの基準範囲」とは、原稿Ｇの光照射面Ｇｄでの主走査方向Ｘの明暗の繰り返しのうち各隣り合う明部の頂点β１，…β１５（図７（ｃ）参照）と暗部の最下点γ１，…γ１５（図７（ｃ）参照）との照度差の度合に対する上限値と下限値との間の範囲をいう。前記照度差の度合としては、照度分布α３において各隣り合う明部の頂点β１，…β１５の照度から暗部の最下点γ１，…γ１５の照度を差し引いた値を、各隣り合う明部の頂点β１，…β１５に対応する位置と暗部の最下点γ１，…γ１５に対応する位置との間の距離で割った値（傾き）を例示できる。また、前記照度差の度合としては、照度分布α３において各隣り合う明部の頂点β１，…β１５の照度から暗部の最下点γ１，…γ１５の照度を差し引いた値を、各隣り合う明部の頂点β１，…β１５の照度と暗部の最下点γ１，…γ１５の照度との平均値で割った値（リップル率）を例示できる。
【０１３３】
そして、第１光源群２２０ａにおける第１発光素子２１２ａ（１），…，２１２ａ（１６）及び第２光源群２２０ｂにおける第２発光素子２１２ｂ（１），…，２１２ｂ（１２）は、何れも同一光量とした場合において照度分布α３（図７（ｃ）参照）が予め設定した照度ムラの基準範囲から外れる場合には、設定部４４２によって照度分布α３が基準範囲内に入る光量に設定されている。すなわち、第１発光素子２１２ａ（１），…，２１２ａ（１６）及び第２発光素子２１２ｂ（１），…，２１２ｂ（１２）において、照度分布α３が基準範囲から外れる場合には、光量を下げたり或いは上げたりして基準範囲内に入る設定がなされている。こうすることで、照度ムラを抑制することができ、照度ムラをさらに目立ち難くすることが可能となる。
【０１３４】
図９は、図７（ｃ）に示す照度分布α３に対して第１発光素子２１２ａ（１），…，２１２ａ（１６）及び第２発光素子２１２ｂ（１），…，２１２ｂ（１２）の光量を照度ムラの基準範囲内に入る光量に設定した照度分布α４を示すグラフである。なお、図９において、図７（ｃ）に示す照度分布α３は破線で示している。
【０１３５】
図９に示す例では、第１光源群２２０ａ及び第２光源群２２０ｂ間において光軸照射位置が一致している発光素子に対して光量を下げている。具体的には、光軸照射位置が一致している第１発光素子２１２ａ（１），２１２ａ（５），２１２ａ（９），２１２ａ（１３）及び／又は第２発光素子２１２ｂ（１），２１２ｂ（４），２１２ｂ（７），２１２ｂ（１０）の光量を下げている。
【０１３６】
本実施の形態のように、光軸照射位置（具体的にはＫ１〜Ｋ２４）の少なくとも一つ（具体的にはＫ１，Ｋ７，…，Ｋ１９）が一致していることで、設定（調整）すべき発光素子できるだけ少なくして（例えば光軸照射位置Ｋ１，Ｋ７，…，Ｋ１９が一致している発光素子の光量を下げるだけで）、図７（ｃ）に示す照度分布α３を照度ムラの基準範囲内に入る分布にすることができる。これにより、光量を予め調整しておく調整作業を簡素化することができる。
【０１３７】
なお、複数列の光源群における発光素子の光量は、各発光素子に対する設計上のシミュレーションによる設定値を用いて、或いは／さらに、１台又は数台のサンプル機での実機による各発光素子に対する調整値を用いて、設定部４４２を部品メーカ等で予め設定しておくことができる。
【０１３８】
図１０は、図８に示すブロック図の光量制御部４４０部分を詳細に示す配線図である。なお、図１０において、原稿読取制御部４２０、記憶部５２０、光学系駆動部５３０等は図示していない。
【０１３９】
図１０に示すように、第１光源群２２０ａは、複数本（具体的には４本）の第１配線（具体的にはＡ１，Ａ２，Ａ３，Ａ４）を備えている。第２光源群２２０ｂは、複数本（具体的には３本）の第２配線（具体的にはＢ１，Ｂ２，Ｂ３）を備えている。
【０１４０】
４本の第１配線Ａ１，Ａ２，Ａ３，Ａ４は、複数個（具体的には１６個）の第１発光素子２１２ａ（１）〜２１２ａ（１６）を複数個単位（具体的には４個単位）で直列に接続する。３本の第２配線Ｂ１，Ｂ２，Ｂ３は、複数個（具体的には１２個）の第２発光素子２１２ｂ（１）〜２１２ｂ（１２）を複数個単位（具体的には４個単位）で直列に接続する。第１配線Ａ１，Ａ２，Ａ３，Ａ４及び第２配線Ｂ１，Ｂ２，Ｂ３は、一端が光量制御部４４０に接続されており、他端が電源（電源電圧＋Ｖｃｃ）に接続されている。そして、光量制御部４４０は、主制御部４１０からの指示信号によって、第１配線Ａ１，Ａ２，Ａ３，Ａ４に接続された４個単位の第１発光素子２１２ａ（１）〜２１２ａ（４），２１２ａ（５）〜２１２ａ（８），２１２ａ（９）〜２１２ａ（１２），２１２ａ（１３）〜２１２ａ（１６）を各配線毎に調整するようになっている。また、光量制御部４４０は、主制御部４１０からの指示信号によって、第２配線Ｂ１，Ｂ２，Ｂ３に接続された４個単位の第２発光素子２１２ｂ（１）〜２１２ｂ（４），２１２ｂ（５）〜２１２ｂ（８），２１２ｂ（９）〜２１２ｂ（１２）の出射光量を各配線毎に調整するようになっている。こうすることで、図７（ｃ）に示す照度分布α３に対して、複数個（具体的には１６個）の第１発光素子２１２ａ（１）〜２１２ａ（１６）及び／又は複数個（具体的には１２個）の第２発光素子２１２ｂ（１）〜２１２ｂ（１２）の光量を複数個単位（具体的には４個単位）で照度ムラの基準範囲内に入る光量に設定することができる。これにより、光量を予め調整しておく調整作業を簡素化することができる。
【０１４１】
ところで、複数列の光源群（具体的には第１及び第２光源群２２０ａ，２２０ｂ）の少なくとも一つの光源群が複数個の発光素子（具体的には第１及び第２発光素子２１２ａ（１）〜２１２ａ（１６），２１２ｂ（１）〜２１２ｂ（１２））を複数個単位で直列に接続する複数本の配線（具体的には第１及び第２配線Ａ１〜Ａ４，Ｂ１〜Ｂ３）を備えている場合、複数本の配線（例えば４本の第１配線Ａ１〜Ａ４）のうち、同一配線上にある複数個の発光素子（例えば第１発光素子２１２ａ（１）〜２１２ａ（４））が主走査方向Ｘに連続して配列されていると、複数個単位で直列に接続された発光素子（例えば第１発光素子２１２ａ（１）〜２１２ａ（４））が不点灯となったときに、主走査方向Ｘに連続した発光素子（例えば第１発光素子２１２ａ（１）〜２１２ａ（４））が主走査方向Ｘに連続して不点灯となることから、原稿Ｇの前記光照射面Ｇｄでの照度の落ち込み部分の主走査方向Ｘにおける幅が大きくなってしまうため、照度ムラが顕著となる。
【０１４２】
かかる観点から、本実施の形態では、第１及び第２発光素子２１２ａ（１）〜２１２ａ（１６），２１２ｂ（１）〜２１２ｂ（１２）を次のように配列している。
【０１４３】
図１１は、図１０に示す光量制御部４４０に接続される第１及び第２発光素子２１２ａ（１）〜２１２ａ（１６），２１２ｂ（１）〜２１２ｂ（１２）の第１及び第２光源基板２１３ａ，２１３ｂへの配列構成を示す回路図である。
【０１４４】
図１１に示すように、第１光源群２２０ａでは、４本の第１配線Ａ１，Ａ２，Ａ３，Ａ４のうち、同一配線（例えばＡ１）上にある第１発光素子間（例えば２１２ａ（１）と２１２ａ（２）との間、２１２ａ（２）と２１２ａ（３）との間、２１２ａ（３）と２１２ａ（４）との間）に、他の配線（例えばＡ２〜Ａ４）上にある第１発光素子（例えば［２１２ａ（５），２１２ａ（９），２１２ａ（１３）］，［２１２ａ（６），２１２ａ（１０），２１２ａ（１４）］，［２１２ａ（７），２１２ａ（１１），２１２ａ（１５）］）が主走査方向Ｘに同一の配列順序で一つずつ配列されている。また、第２光源群２２０ｂでは、３本の第２配線Ｂ１，Ｂ２，Ｂ３のうち、同一配線（例えばＢ１）上にある第１発光素子間（例えば２１２ｂ（１）と２１２ｂ（２）との間、２１２ｂ（２）と２１２ｂ（３）との間、２１２ｂ（３）と２１２ｂ（４）との間）に、他の配線（例えばＢ２〜Ｂ３）上にある第２発光素子（例えば［２１２ｂ（５），２１２ｂ（９）］，［２１２ｂ（６），２１２ｂ（１０）］，［２１２ｂ（７），２１２ｂ（１１）］）が主走査方向Ｘに同一の配列順序で一つずつ配列されている。こうすることで、たとえ複数個単位（具体的には４個単位）で直列された発光素子（例えば、第１配線Ａ１に接続された第１発光素子２１２ａ（１）〜２１２ａ（４））が不点灯となったときでも、主走査方向Ｘに点在した発光素子（例えば第１発光素子２１２ａ（１）〜２１２ａ（４））が不点灯となることから、不点灯となった発光素子（例えば第１発光素子２１２ａ（１）〜２１２ａ（４））を主走査方向Ｘで分散させることができ、これにより、原稿Ｇの光照射面Ｇｄでの照度の落ち込み部分の主走査方向Ｘにおける幅を分散させることができ、それだけ照度ムラを目立ち難くすることができる。ここでは、同一配線を第１配線Ａ１及び第２配線Ｂ１として例示したが、その他の第１配線Ａ２，Ａ３，Ａ４及び第２配線Ｂ２，Ｂ３についても同様に説明することができる。
【０１４５】
具体的には、第１光源群２２０ａでは、４本の第１配線Ａ１，Ａ２，Ａ３，Ａ４は、第１光源基板２１３ａにおいて発光素子搭載部分以外の部分が主走査方向Ｘに沿って配設される一方、発光素子搭載部分が複数回（ここでは４回）副走査方向Ｙに沿って交互に１８０°屈曲して順次配設されている。そして、各発光素子搭載部分に、第１発光素子（具体的には［２１２ａ（１），２１２ａ（２），２１２ａ（３），２１２ａ（４）］，…，［２１２ａ（１３），２１２ａ（１４），２１２ａ（１５），２１２ａ（１６）］）が搭載されている。また、第２光源群２２０ｂでは、３本の第２配線Ｂ１，Ｂ２，Ｂ３は、第２光源基板２１３ｂにおいて発光素子搭載部分以外の部分が主走査方向Ｘに沿って配設される一方、発光素子搭載部分が複数回（ここでは４回）副走査方向Ｙに沿って交互に１８０°屈曲して順次配設されている。そして、各発光素子搭載部分に、第２発光素子（具体的には［２１２ｂ（１），２１２ｂ（２），２１２ｂ（３），２１２ｂ（４）］，…，［２１２ｂ（９），２１２ｂ（１０），２１２ｂ（１１），２１２ｂ（１２）］）が搭載されている。
【０１４６】
ところで、照度分布α３は、図７（ｃ）に示すように、複数列の光源群（具体的には第１光源群２２０ａ及び第２光源群２２０ｂ）間におけるピッチ（具体的にはＰ１，Ｐ２）の長さ（具体的には１８ｍｍ、２４ｍｍ）に対する最小公倍数の長さ（具体的には７２ｍｍ）を周期として同じ波形を繰り返す分布となる。
【０１４７】
かかる観点から、本実施の形態では、第１光源群２２０ａにおける４本の第１配線Ａ１，Ａ２，Ａ３，Ａ４は、それぞれ、第１光源群２２０ａの主走査方向Ｘに配列されている第１発光素子２１２ａ（１）〜２１２ａ（４），２１２ａ（５）〜２１２ａ（８），２１２ａ（９）〜２１２ａ（１２），２１２ａ（１３）〜２１２ａ（１６）に対して、第１光源群２２０ａ及び第２光源群２２０ｂ間におけるピッチＰ１，Ｐ２の長さ１８ｍｍ、２４ｍｍに対する最小公倍数の長さ７２ｍｍを第１光源群２２０ａにおける第１発光素子２１２ａ（１），…，２１２ａ（１６）のピッチＰ１の長さ１８ｍｍで割った４個毎に直列に接続する構成とされている。また、第２光源群２２０ｂにおける３本の第１配線Ｂ１，Ｂ２，Ｂ３は、それぞれ、第２光源群２２０ｂの主走査方向Ｘに配列されている第２発光素子２１２ｂ（１）〜２１２ｂ（４），２１２ｂ（５）〜２１２ｂ（８），２１２ｂ（９）〜２１２ｂ（１２）に対して、第１光源群２２０ａ及び第２光源群２２０ｂ間におけるピッチＰ１，Ｐ２の長さ１８ｍｍ、２４ｍｍに対する最小公倍数の長さ７２ｍｍを第２光源群２２０ｂにおける第２発光素子２１２ｂ（１），…，２１２ｂ（１２）のピッチＰ２の長さ２４ｍｍで割った３個毎に直列に接続する構成とされている。
【０１４８】
こうすることで、設定部４４２にて設定する第１及び第２光源群２２０ａ，２２０ｂにおける第１及び第２発光素子２１２ａ（１），…，２１２ａ（１６），２１２ｂ（１），…，２１２ｂ（１２）の光量を照度分布α３（図７（ｃ）参照）の周期に合わせて設定することができ、これにより、光量を簡単にかつ精度良く調整することが可能となる。
【０１４９】
なお、図１１において、符号Ｔａ１〜Ｔａ１６は、第１光源基板２１３ａ上に列設される第１発光素子２１２ａ（１），…，２１２ａ（１６）のポジション（並び順）を示しており、符号Ｔｂ１〜Ｔｂ１２は、第２光源基板２１３ｂ上に列設される第２発光素子２１２ｂ（１），…，２１２ｂ（１２）のポジション（並び順）を示している。
【０１５０】
図１２は、図８に示す光量制御部４４０における詳細の概略構成の一例を示す回路図である。
【０１５１】
図１２に示すように、調整部４４３は、定電流手段Ｉａ１〜Ｉａ４，Ｉｂ１〜Ｉｂ３と、可変抵抗手段Ｒａ１〜Ｒａ４，Ｒｂ１〜Ｒｂ３とを備えている。定電流手段Ｉａ１〜Ｉａ４は、一端が第１配線Ａ１〜Ａ４に接続され、かつ、他端が可変抵抗手段Ｒａ１〜Ｒａ４に接続されている。また、定電流手段Ｉｂ１〜Ｉａ３は、一端が第２配線Ｂ１〜Ｂ３に接続され、かつ、他端が可変抵抗手段Ｒｂ１〜Ｒｂ３に接続されている。
【０１５２】
制御回路４４１は、定電流手段Ｉａ１〜Ｉａ４と可変抵抗手段Ｒａ１〜Ｒａ４との間の接続部ａ１〜ａ４に接続されており、接続部ａ１〜ａ４の端子電圧Ｖａ１〜Ｖａ４をそれぞれ発光時に常時同じ電圧値に維持する構成とされている。また、制御回路４４１は、定電流手段Ｉｂ１〜Ｉｂ３と可変抵抗手段Ｒｂ１〜Ｒｂ３との間の接続部ｂ１〜ｂ３に接続されており、接続部ｂ１〜ｂ３の端子電圧Ｖｂ１〜Ｖｂ３をそれぞれ発光時に常時同じ電圧値に維持する構成とされている。
【０１５３】
定電流手段Ｉａ１〜Ｉａ４は、第１発光素子２１２ａ（１）〜２１２ａ（４），２１２ａ（５）〜２１２ａ（８），２１２ａ（９）〜２１２ａ（１２），２１２ａ（１３）〜２１２ａ（１６）を接続した第１配線Ａ１，Ａ２，Ａ３，Ａ４に流れる電流をそれぞれ一定の電流値にする構成とされている。定電流手段Ｉｂ１〜Ｉｂも同様に、第２発光素子２１２ｂ（１）〜２１２ｂ（４），２１２ｂ（５）〜２１２ｂ（８），２１２ｂ（９）〜２１２ｂ（１２）を接続した第２配線Ｂ１，Ｂ２，Ｂ３に流れる電流をそれぞれ一定の電流値にする構成とされている。定電流手段Ｉａ１〜Ｉａ４，Ｉｂ１〜Ｉｂ３は、従来公知のものを用いることができる。定電流手段Ｉａ１〜Ｉａ４，Ｉｂ１〜Ｉｂ３としては、例えばトランジスタやレギュレータを含む定電流回路を例示できる。
【０１５４】
可変抵抗手段Ｒａ１〜Ｒａ４，Ｒｂ１〜Ｒｂ３は、制御回路４４１によって作動制御されることで、自身の抵抗値を変更する構成とされている。可変抵抗手段Ｒａ１〜Ｒａ４，Ｒｂ１〜Ｒｂ３は、従来公知のものを用いることができる。可変抵抗手段Ｒａ１〜Ｒａ４，Ｒｂ１〜Ｒｂ３としては、それには限定されないが、代表的には、制御回路４４１にて作動制御される半導体スイッチを用いたデジタル型の可変抵抗器を例示でき、例えば、直列に接続した複数の固定抵抗器における各固定抵抗器と並列に接続した半導体スイッチを作動制御することによって通電する固定抵抗器を切り換えるものや、直列に接続した複数の固定抵抗器における各接続点に一端子を接続した半導体スイッチを作動制御することによって通電する固定抵抗器を切り換えるものを挙げることができる。
【０１５５】
かかる構成を備えた光量制御部４４０では、制御回路４４１によって接続部ａ１〜ａ４，１〜ｂ３の端子電圧ｖａ１〜ｖａ４，ｖａ１〜ｖａ４がそれぞれ常時同じ電圧値になることから、可変抵抗手段Ｒａ１〜Ｒａ４，Ｒｂ１〜Ｒｂ３の抵抗値ｒａ１〜ｒａ４，ｒｂ１〜ｒｂ３を変更することで、ｉａ１＝ｖａ１／ｒａ１、ｉａ２＝ｖａ２／ｒａ２、ｉａ３＝ｖａ３／ｒａ３、ｉａ４＝ｖａ４／ｒａ４、ｉｂ１＝ｖｂ１／ｒｂ１、ｉｂ２＝ｖｂ２／ｒｂ２、ｉｂ３＝ｖｂ３／ｒｂ３の式によって、結果的に、定電流手段Ｉａ１〜Ｉａ４にて第１配線Ａ１〜Ａ４に流れる電流ｉａ１〜ｉａ４及び定電流手段Ｉｂ１〜Ｉｂ３にて第２配線Ｂ１〜Ｂ３に流れる電流ｉｂ１〜ｉｂ３を変更することができる。
【０１５６】
なお、光量制御部４４０は、抵抗値ｒａ１〜ｒｂ４を固定し、制御回路４４１によって接続部ａ１〜ａ４の端子電圧ｖａ１〜ｖａ４，ｖａ１〜ｖａ４を変更することで、定電流手段Ｉａ１〜Ｉａ４にて第１配線Ａ１〜Ａ４に流れる電流ｉａ１〜ｉａ４及び定電流手段Ｉｂ１〜Ｉｂ３にて第２配線Ｂ１〜Ｂ３に流れる電流ｉｂ１〜ｉｂ３を変更できるようになっていてもよい。
【０１５７】
また、検出部４４１ａは、４個単位で直列に接続された第１発光素子２１２ａ（１）〜２１２ａ（４），２１２ａ（５）〜２１２ａ（８），２１２ａ（９）〜２１２ａ（１２），２１２ａ（１３）〜２１２ａ（１６）及び第２発光素子２１２ｂ（１）〜２１２ｂ（４），２１２ｂ（５）〜２１２ｂ（８），２１２ｂ（９）〜２１２ｂ（１２）が不点灯となったか否かを検出する構成とされている。
【０１５８】
詳しくは、検出部４４１ａは、接続部ａ１〜ａ４，ｂ１〜ｂ３の端子電圧ｖａ１〜ｖａ４，ｖｂ１〜ｖｂ３が０Ｖになるか否かで第１発光素子２１２ａ（１）〜２１２ａ（４），２１２ａ（５）〜２１２ａ（８），２１２ａ（９）〜２１２ａ（１２），２１２ａ（１３）〜２１２ａ（１６）及び第２発光素子２１２ｂ（１）〜２１２ｂ（４），２１２ｂ（５）〜２１２ｂ（８），２１２ｂ（９）〜２１２ｂ（１２）が不点灯となったか否かを検出する。例えば、検出部４４１ａは、第１配線Ａ１の断線により、或いは、第１発光素子２１２ａ（１）〜２１２ａ（４）の不良により、第１発光素子２１２ａ（１）〜２１２ａ（４）に接続される第１配線Ａ１の接続部ａ１の端子電圧ｖａ１が０Ｖになると、第１発光素子２１２ａ（１）〜２１２ａ（４）が不点灯になったことを認識することができる。他の第１配線Ａ２〜Ａ４に接続される第１発光素子２１２ａ（５）〜２１２ａ（８），２１２ａ（９）〜２１２ａ（１２），２１２ａ（１３）〜２１２ａ（１６）及び第２配線Ｂ１〜Ｂ３に接続される第２発光素子２１２ｂ（１）〜２１２ｂ（４），２１２ｂ（５）〜２１２ｂ（８），２１２ｂ（９）〜２１２ｂ（１２）についても同様に認識することができる。
【０１５９】
そして、光量制御部４４０は、検出部４４１ａの検出結果により、複数個単位（具体的には４個単位）で直列に接続された第１発光素子２１２ａ（１）〜２１２ａ（４），２１２ａ（５）〜２１２ａ（８），２１２ａ（９）〜２１２ａ（１２），２１２ａ（１３）〜２１２ａ（１６）及び第２発光素子２１２ｂ（１）〜２１２ｂ（４），２１２ｂ（５）〜２１２ｂ（８），２１２ｂ（９）〜２１２ｂ（１２）が不点灯となった場合、次のように制御する。
【０１６０】
すなわち、図７（ｃ）に示す照度分布α３に対して、不点灯となった発光素子（例えば２１２ａ（１）〜２１２ａ（４））の光源群（例えば第１光源群２２０ａ）における、不点灯となった発光素子（例えば２１２ａ（１）〜２１２ａ（４））の隣（不点灯となった発光素子が両端以外にある場合には両隣のうち少なくとも一方、端にある場合には片方の隣）に位置する発光素子（例えば［２１２ａ（５）］，［２１２ａ（１３），２１２ａ（６）］，（２１２ａ（１４），２１２ａ（７）），［２１２ａ（１５），２１２ａ（８）］）の光量を照度ムラの基準範囲内に入る光量に増加させる第１光量制御を行う。第１光量制御は、ここでは、光量制御すべき発光素子の光量を、予め記憶部５２０に記憶しておいた第１増加光量Ｎａ１，Ｎａ２又は第２増加光量Ｎｂ１，Ｎｂ２（図８参照）だけ増加させる。
【０１６１】
ここで、予め記憶部５２０に記憶しておいた第１増加光量Ｎａ１又は第２増加光量Ｎｂ１は、照度分布α３に対して、不点灯となった発光素子の隣（ここでは、不点灯となった発光素子が両端以外にある場合には両隣、端にある場合には片方の隣）の発光素子の光量を照度ムラの基準範囲内に入る光量に変更する値である。また、予め記憶部５２０に記憶しておいた第１増加光量Ｎａ２又は第２増加光量Ｎｂ２は、照度分布α３に対して、不点灯となった端にある発光素子の片方の隣の発光素子の光量を照度ムラの基準範囲内に入る光量に変更する値である。この増加光量は、各発光素子に対する設計上のシミュレーションによって、或いは／さらに、１台又は数台のサンプル機での実機によって、予め設定しておくことができる。
【０１６２】
このように、第１光量制御を行うことで、不点灯となった発光素子（例えば２１２ａ（１）〜２１２ａ（４））の原稿Ｇの光照射面Ｇｄでの照度低下を補うことができ、これにより、光照射面でＧｄの光量を確保でき、図９に示すように、照度分布α４を照度ムラの基準範囲内に維持させることが可能となる。
【０１６３】
第１光源群２２０ａにおける第１発光素子２１２ａ（１）〜２１２ａ（１６）と第１配線Ａ１〜Ａ４との接続関係及び第１発光素子２１２ａ（１）〜２１２ａ（１６）の第１光源基板２１３ａにおける配列の相互の位置関係は、記憶部５２０に予め記憶されている。また、第２光源群２２０ｂにおける第２発光素子２１２ｂ（１）〜２１２ｂ（１２）と第２配線Ｂ１〜Ｂ３との接続関係及び第２発光素子２１２ｂ（１）〜２１２ａ（１２）の第２光源基板２１３ｂにおける配列の相互の位置関係も同様に、記憶部５２０に予め記憶されている。
【０１６４】
図１３は、第１及び第２位置テーブルＴＰ１，ＴＰ２のデータ構造図である。図１３（ａ）は、第１発光素子２１２ａ（１）〜２１２ａ（１６）と第１配線Ａ１〜Ａ４との接続関係及び第１発光素子２１２ａ（１）〜２１２ａ（１６）の第１光源基板２１３ａにおける配列の相互の位置関係を記憶した第１位置テーブルＴＰ１の一例を示している。図１３（ｂ）は、第２発光素子２１２ｂ（１）〜２１２ｂ（１２）と第２配線Ｂ１〜Ｂ３との接続関係及び第２発光素子２１２ｂ（１）〜２１２ｂ（１２）の第２光源基板２１３ｂにおける配列の相互の位置関係を記憶した第２位置テーブルＴＰ２の一例を示している。
【０１６５】
図１３（ａ）に示すように、第１位置テーブルＴＰ１には、第１配線Ａ１に接続されている第１発光素子が第１発光素子２１２ａ（１）〜２１２ａ（４）であることが記憶され、第１配線Ａ２に接続されている第１発光素子が第１発光素子２１２ａ（５）〜２１２ａ（８）であることが記憶され、第１配線Ａ３に接続されている第１発光素子が第１発光素子２１２ａ（９）〜２１２ａ（１２）であることが記憶され、第１配線Ａ４に接続されている第１発光素子が第１発光素子２１２ａ（１３）〜２１２ａ（１６）であることが記憶されている。また、第１位置テーブルＴＰ１には、第１光源基板２１３ａ上のポジションＴａ１〜Ｔａ１６（図１１参照）に対応して第１発光素子２１２ａ（１），２１２ａ（５），２１２ａ（９），２１２ａ（１３），２１２ａ（２），２１２ａ（６），２１２ａ（１０），２１２ａ（１４），２１２ａ（３），２１２ａ（７），２１２ａ（１１），２１２ａ（１５），２１２ａ（４），２１２ａ（８），２１２ａ（１２），２１２ａ（１６）の順で配列されていることが記憶されている。これにより、光量制御部４４０は、例えば、第１配線Ａ１の発光素子が不点灯となった場合には、第１発光素子２１２ａ（１）の隣（発光素子が端にあるので片方の隣）の第１発光素子２１２ａ（５）、第１発光素子２１２ａ（２）の両隣の第１発光素子２１２ａ（１３），２１２ａ（６）、第１発光素子２１２ａ（３）の両隣の第１発光素子２１２ａ（１４），２１２ａ（７）、第１発光素子２１２ａ（４）の両隣の第１発光素子２１２ａ（１５），２１２ａ（８）を認識して光量を増加させることができる。第１配線Ａ２〜Ａ４の発光素子が不点灯となった場合についても同様にして認識して光量を増加させることができる。
【０１６６】
また、図１３（ｂ）に示すように、第２位置テーブルＴＰ２には、第２配線Ｂ１に接続されている第２発光素子が第２発光素子２１２ｂ（１）〜２１２ｂ（４）であることが記憶され、第２配線ｂ２に接続されている第２発光素子が第２発光素子２１２ｂ（５）〜２１２ｂ（８）であることが記憶され、第２配線Ｂ３に接続されている第２発光素子が第２発光素子２１２ｂ（９）〜２１２ｂ（１２）であることが記憶されている。また、第２位置テーブルＴＰ２には、第２光源基板２１３ｂ上のポジションＴｂ１〜Ｔｂ１２（図１１参照）に対応して第２発光素子２１２ｂ（１）〜２１２ｂ（１２）が第２発光素子２１２ｂ（１），２１２ｂ（５），２１２ｂ（９），２１２ｂ（２），２１２ｂ（６），２１２ｂ（１０），２１２ｂ（３），２１２ｂ（７），２１２ｂ（１１），２１２ｂ（４），２１２ｂ（８），２１２ｂ（１２）の順で配列されていることが記憶されている。これにより、光量制御部４４０は、例えば、第２配線Ｂ１の発光素子が不点灯となった場合には、第２発光素子２１２ｂ（１）の隣（発光素子が端にあるので片方の隣）の第２発光素子２１２ｂ（５）、第２発光素子２１２ｂ（２）の両隣の第２発光素子２１２ｂ（９），２１２ｂ（６）、第２発光素子２１２ｂ（３）の両隣の第２発光素子２１２ｂ（１０），２１２ｂ（７）、第２発光素子２１２ｂ（４）の両隣の第２発光素子２１２ｂ（１１），２１２ｂ（８）を認識して光量を増加させることができる。第２配線Ｂ２〜Ｂ３の発光素子が不点灯となった場合についても同様にして認識して光量を増加させることができる。
【０１６７】
不点灯となった第１発光素子２１２ａ（１），…，２１２ａ（１６）が端にない場合の両隣に位置する第１発光素子の光量を増加させる第１増加光量Ｎａ１及び不点灯となった第２発光素子２１２ｂ（１），…，２１２ｂ（１２）が端にない場合の両隣に位置する第２発光素子の光量を増加させる第２増加光量Ｎｂ１は、既述のとおり、記憶部５２０に予め記憶されている。また、不点灯となった第１発光素子２１２ａ（１），…，２１２ａ（１６）が端にある場合の片方の隣に位置する第１発光素子の光量を増加させる第１増加光量Ｎａ２及び不点灯となった第２発光素子２１２ｂ（１），…，２１２ｂ（１２）が端にある場合の片方の隣に位置する第２発光素子の光量を増加させる第２増加光量Ｎｂ２は、既述のとおり、記憶部５２０に予め記憶されている。なお、第１及び第２増加光量Ｎａ２，Ｎｂ２は、それぞれ、第１及び第２増加光量Ｎａ１，Ｎｂ１の２倍の光量とすることができる。
【０１６８】
また、光量制御部４４０は、検出部４４１ａの検出結果により、複数個単位（具体的には４個単位）で直列に接続された第１発光素子２１２ａ（１）〜２１２ａ（４），２１２ａ（５）〜２１２ａ（８），２１２ａ（９）〜２１２ａ（１２），２１２ａ（１３）〜２１２ａ（１６）及び第２発光素子２１２ｂ（１）〜２１２ｂ（４），２１２ｂ（５）〜２１２ｂ（８），２１２ｂ（９）〜２１２ｂ（１２）が不点灯となった場合、次のように制御する。
【０１６９】
すなわち、図７（ｃ）に示す照度分布α３に対して、不点灯となった発光素子（例えば２１２ａ（１）〜２１２ａ（４））とは異なる光源群（例えば第２光源群２２０ｂ）における、不点灯となった発光素子（例えば２１２ａ（１）〜２１２ａ（４））の光照射面Ｇｄでの照度分布α３に関与する予め設定した発光素子（例えば［２１２ｂ（１）］，［２１２ｂ（２）］，［２１２ｂ（３）］，［２１２ａ（４）］）の光量を照度ムラの基準範囲内に入る光量に増加させる第２光量制御を行う。第２光量制御は、ここでは、光量制御すべき発光素子の光量を、予め記憶部５２０に記憶しておいた第１光量テーブルＴＬ１の第３増加光量Ｎｃ（１）〜Ｎｃ（２０）又は第２光量テーブルＴＬ２の第４増加光量Ｎｄ（１）〜Ｎｄ（２０）（後述する図１４参照））だけ増加させる。ここで、予め記憶部５２０に記憶しておいた第１光量テーブルＴＬ１の第３増加光量Ｎｃ（１）〜Ｎｃ（２０）又は第２光量テーブルＴＬ２の第４増加光量Ｎｄ（１）〜Ｎｄ（２０）は、照度分布α３に対して、不点灯となった発光素子の光照射面Ｇｄでの照度分布α３に関与する（照度分布α３への照度の影響に寄与する）予め設定した発光素子の光量を照度ムラの基準範囲内に入る光量に変更する値である。この増加光量は、各発光素子に対する設計上のシミュレーションによって、或いは／さらに、１台又は数台のサンプル機での実機によって、予め設定しておくことができる。
【０１７０】
第１光源群２２０ａにおける第１発光素子２１２ａ（１）〜２１２ａ（１６）とその照度分布α３への照度の影響に寄与する（具体的には光軸照射位置が近接する）第２発光素子２１２ｂ（１）〜２１２ｂ（１２）との対応関係は、既述のとおり、記憶部５２０に予め記憶されている。また、第２光源群２２０ｂにおける第２発光素子２１２ｂ（１）〜２１２ｂ（１２）とその照度分布α３への照度の影響に寄与する（具体的には光軸照射位置が近接する）第１発光素子２１２ａ（１）〜２１２ａ（１６）との対応関係は、既述のとおり、記憶部５２０に予め記憶されている。
【０１７１】
図１４は、第１及び第２光量テーブルＴＬ１，ＴＬ２のデータ構造図である。図１４（ａ）は、第１発光素子２１２ａ（１）〜２１２ａ（１６）とその照度分布α３への照度の影響に寄与する第２発光素子２１２ｂ（１）〜２１２ｂ（１２）との対応関係及び第２発光素子２１２ｂ（１）〜２１２ｂ（１２）の光量を増加させる第３増加光量Ｎｃ（１）〜Ｎｃ（２０）を記憶した第１光量テーブルＴＬ１の一例を示している。図１４（ｂ）は、第２発光素子２１２ｂ（１）〜２１２ｂ（１２）とその照度分布α３への照度の影響に寄与する第１発光素子２１２ａ（１）〜２１２ａ（１６）との対応関係及び第１発光素子２１２ａ（１）〜２１２ａ（１６）の光量を増加させる第４増加光量Ｎｄ（１）〜Ｎｄ（２０）を記憶した第２光量テーブルＴＬ２の一例を示している。
【０１７２】
図１４（ａ）に示すように、第１光量テーブルＴＬ１には、第１発光素子２１２ａ（１）に対して第２発光素子２１２ｂ（１）の光量を増加させる第３増加光量Ｎｃ（１）、第１発光素子２１２ａ（５）に対して第２発光素子２１２ｂ（５）の光量を増加させる第３増加光量Ｎｃ（２）、第１発光素子２１２ａ（９）に対して第２発光素子２１２ｂ（５），２１２ｂ（９）の光量を増加させる第３増加光量Ｎｃ（３），Ｎｃ（４）、第１発光素子２１２ａ（１３）に対して第２発光素子２１２ｂ（９）の光量を増加させる第３増加光量Ｎｃ（５）、第１発光素子２１２ａ（２）に対して第２発光素子２１２ｂ（２）の光量を増加させる第３増加光量Ｎｃ（６）、第１発光素子２１２ａ（６）に対して第２発光素子２１２ｂ（６）の光量を増加させる第３増加光量Ｎｃ（７）、第１発光素子２１２ａ（１０）に対して第２発光素子２１２ｂ（６），２１２ｂ（１０）の光量を増加させる第３増加光量Ｎｃ（８），Ｎｃ（９）、第１発光素子２１２ａ（１４）に対して第２発光素子２１２ｂ（１０）の光量を増加させる第３増加光量Ｎｃ（１０）、第１発光素子２１２ａ（３）に対して第２発光素子２１２ｂ（３）の光量を増加させる第３増加光量Ｎｃ（１１）、第１発光素子２１２ａ（７）に対して第２発光素子２１２ｂ（７）の光量を増加させる第３増加光量Ｎｃ（１２）、第１発光素子２１２ａ（１１）に対して第２発光素子２１２ｂ（７），２１２ｂ（１１）の光量を増加させる第３増加光量Ｎｃ（１３），Ｎｃ（１４）、第１発光素子２１２ａ（１５）に対して第２発光素子２１２ｂ（１１）の光量を増加させる第３増加光量Ｎｃ（１５）、第１発光素子２１２ａ（４）に対して第２発光素子２１２ｂ（４）の光量を増加させる第３増加光量Ｎｃ（１６）、第１発光素子２１２ａ（８）に対して第２発光素子２１２ｂ（８）の光量を増加させる第３増加光量Ｎｃ（１７）、第１発光素子２１２ａ（１２）に対して第２発光素子２１２ｂ（８），２１２ｂ（１２）の光量を増加させる第３増加光量Ｎｃ（１８），Ｎｃ（１９）、第１発光素子２１２ａ（１６）に対して第２発光素子２１２ｂ（１２）の光量を増加させる第３増加光量Ｎｃ（２０）がそれぞれ対応付けられて記憶されている。これにより、光量制御部４４０は、例えば、第１配線Ａ１の発光素子が不点灯となった場合には、第１発光素子２１２ａ（１）への照度の影響に寄与する第２発光素子２１２ｂ（１）、第１発光素子２１２ａ（２）への照度の影響に寄与する第２発光素子２１２ｂ（２）、第１発光素子２１２ａ（３）への照度の影響に寄与する第２発光素子２１２ｂ（３）、第１発光素子２１２ａ（４）への照度の影響に寄与する第２発光素子２１２ｂ（４）を認識して光量を増加させることができる。第１配線Ａ２〜Ａ４の発光素子が不点灯となった場合についても同様にして認識して光量を増加させることができる。
【０１７３】
また、図１４（ｂ）に示すように、第２光量テーブルＴＬ２には、第２発光素子２１２ｂ（１）に対して第１発光素子２１２ａ（１）の光量を増加させる第４増加光量Ｎｄ（１）、第２発光素子２１２ｂ（５）に対して第１発光素子２１２ａ（５），２１２ａ（９）の光量を増加させる第４増加光量Ｎｄ（２），Ｎｄ（３）、第２発光素子２１２ｂ（９）に対して第１発光素子２１２ａ（９），２１２ａ（１３）の光量を増加させる第４増加光量Ｎｄ（４），Ｎｄ（５）、第２発光素子２１２ｂ（２）に対して第１発光素子２１２ａ（２）の光量を増加させる第４増加光量Ｎｄ（６）、第２発光素子２１２ｂ（６）に対して第１発光素子２１２ａ（６），２１２ａ（１０）の光量を増加させる第４増加光量Ｎｄ（７），Ｎｄ（８）、第２発光素子２１２ｂ（１０）に対して第１発光素子２１２ａ（１０），２１２ａ（１４）の光量を増加させる第４増加光量Ｎｄ（９），Ｎｄ（１０）、第２発光素子２１２ｂ（３）に対して第１発光素子２１２ａ（３）の光量を増加させる第４増加光量Ｎｄ（１１）、第２発光素子２１２ｂ（７）に対して第１発光素子２１２ａ（７），２１２ａ（１１）の光量を増加させる第４増加光量Ｎｄ（１２），Ｎｄ（１３）、第２発光素子２１２ｂ（１１）に対して第１発光素子２１２ａ（１１），２１２ａ（１５）の光量を増加させる第４増加光量Ｎｄ（１４），Ｎｄ（１５）、第２発光素子２１２ｂ（４）に対して第２発光素子２１２ｂ（４）の光量を増加させる第４増加光量Ｎｄ（１６）、第２発光素子２１２ｂ（８）に対して第１発光素子２１２ａ（８），２１２ａ（１２）の光量を増加させる第４増加光量Ｎｄ（１７），Ｎｄ（１８）、第２発光素子２１２ｂ（１２）に対して第１発光素子２１２ａ（１２），２１２ａ（１６）の光量を増加させる第４増加光量Ｎｄ（１９），Ｎｄ（２０）がそれぞれ対応付けられて記憶されている。これにより、光量制御部４４０は、例えば、第２配線Ｂ１の発光素子が不点灯となった場合には、第２発光素子２１２ｂ（１）への照度の影響に寄与する第１発光素子２１２ａ（１）、第２発光素子２１２ｂ（２）への照度の影響に寄与する第１発光素子２１２ａ（２）、第２発光素子２１２ｂ（３）への照度の影響に寄与する第１発光素子２１２ａ（３）、第２発光素子２１２ｂ（４）への照度の影響に寄与する第１発光素子２１２ａ（４）を認識して光量を増加させることができる。第２配線Ｂ２〜Ｂ３の発光素子が不点灯となった場合についても同様にして認識して光量を増加させることができる。
【０１７４】
このように、第２光量制御を行うことで、不点灯となった発光素子（例えば２１２ａ（１）〜２１２ｂ（４））の原稿Ｇの光照射面Ｇｄでの照度低下を補うことができ、これにより、光照射面でＧｄの光量を確保でき、図９に示すように、照度分布α４を照度ムラの基準範囲内に維持させることが可能となる。
【０１７５】
しかも、不点灯となった発光素子（例えば２１２ａ（１）〜２１２ａ（４））とは異なる光源群（例えば第２光源群２２０ｂ）における不点灯となった発光素子（例えば２１２ａ（１）〜２１２ａ（４））に対応する予め設定した発光素子（例えば２１２ｂ（１）〜２１２ａ（４））の光量を増加させる場合、予め設定した発光素子（例えば２１２ｂ（１）〜２１２ｂ（４））は、配線（例えば１本の第２配線Ｂ１）に直列に接続されているので（図１１参照）、該配線（例えば１本の第２配線Ｂ１）に接続された発光素子（例えば２１２ｂ（１）〜２１２ｂ（４））に対する光量を調整するだけで済む。
【０１７６】
本実施の形態において、第１光量制御と第２光量制御との双方を行う場合には、記憶部に第５増加光量Ｎｅ１，Ｎｅ２（図８参照）及び第６増加光量Ｎｆ１，Ｎｆ２（図８参照）並びに第７増加光量Ｎｇ（１）〜Ｎｇ（２０）（図１４（ａ）参照）及び第８増加光量Ｎｈ（１）〜Ｎｈ（２０）（図１４（ｂ）参照）を予め記憶しておくことができる。
【０１７７】
詳しくは、第１光量制御と第２光量制御との双方を行う場合、第１光量制御では、第１増加光量Ｎａ１，Ｎａ２及び第２増加光量Ｎｂ１，Ｎｂ２に代えて第５増加光量Ｎｅ１，Ｎｅ２及び第６増加光量Ｎｆ１，Ｎｆ２をそれぞれ用いることができ、また、第２光量制御では、図１４に示す第３増加光量Ｎｃ（１）〜Ｎｃ（２０）及び第４増加光量Ｎｄ（１）〜Ｎｄ（２０）に代えて第７増加光量Ｎｇ（１）〜Ｎｇ（２０）及び第８増加光量Ｎｈ（１）〜Ｎｈ（２０）をそれぞれ用いることができる。
【０１７８】
図８に示す第５増加光量Ｎｅ１，Ｎｅ２及び第６増加光量Ｎｆ１，Ｎｆ２並びに図１４に示す第７増加光量Ｎｇ（１）〜Ｎｇ（２０）及び第８増加光量Ｎｈ（１）〜Ｎｈ（２０）は、照度分布α３に対して、不点灯となった発光素子の隣（ここでは、不点灯となった発光素子が両端以外にある場合には両隣、端にある場合には片方の隣）の発光素子の光量と、不点灯となった発光素子の光照射面Ｇｄでの照度分布α３への照度の影響に寄与する予め設定した発光素子の光量とを照度ムラの基準範囲内に入る光量に変更する値である。この増加光量は、各発光素子に対する設計上のシミュレーションによって、或いは／さらに、１台又は数台のサンプル機での実機によって、予め設定しておくことができる。
【０１７９】
なお、本実施の形態では、第１配線Ａ１〜Ａ４及び第２配線Ｂ１〜Ｂ３をそれぞれ４本及び３本とし、各配線に接続される発光素子を４個としたが、それに限定されるものではなく、光源２１１や光量制御部４４０等の構成によって適宜設定することができる。また、光量制御部４４０は、１本の配線に対して１個単位で発光素子を接続し、個々の発光素子の光量を設定及び調整するようになっていてもよい。
【０１８０】
また、第１発光素子のピッチＰ１を１８ｍｍとし、第２発光素子のピッチＰ２を２４ｍｍとしたが、それに限定されるものではなく、発光素子の光照射領域Ｌｄまでの光軸距離や発光素子の配列個数等によって適宜設定することができる。
【０１８１】
また、本実施の形態では、増加光量として、元の光量値に対する光量の増分値（相対値）が記憶部５２０に予め記憶されているが、元の光量値に相対値を加算した絶対値が記憶部５２０に予め記憶されていてもよい。
【０１８２】
（その他の実施形態）
図１５は、第１光源基板２１３ａ及び第２光源基板２１３ｂにそれぞれ搭載された第１光源群２２０ａ及び第２光源群２２０ｂの配列状態の他の例を示す概略平面図である。
【０１８３】
図１５に示す第１光源群２２０ａ及び第２光源群２２０ｂは、図６に示す第１光源群２２０ａ及び第２光源群２２０ｂにおいて第１光源基板２１３ａ及び第２光源基板２１３ｂ上の第１光源群２２０ａ及び第２光源群２２０ｂは、そのままで、第１光源基板２１３ａ及び第２光源基板２１３ｂを主走査方向Ｘにずらした以外は、図６に示す第１光源群２２０ａ及び第２光源群２２０ｂと同一構成とされている。なお、第１光源基板２１３ａ及び第２光源基板２１３ｂ上において第１光源群２２０ａ及び第２光源群２２０ｂのうち少なくとも一方を主走査方向Ｘにずらしてもよい。
【０１８４】
図１５に示す複数個の発光素子（具体的には第１発光素子２１２ａ（１），…，２１２ａ（１６）及び第２発光素子２１２ｂ（１），…，２１２ｂ（１２））は、光軸照射位置Ｋ１，…，Ｋｍ−１，Ｋｍ（後述する図１５参照）が複数列の光源群（具体的には第１光源群２２０ａ及び第２光源群２２０ｂ）間において何れも一致していない構成とされている。なお、ｍは４以上の整数である。本実施の形態では、ｍは２８とされている。以下、ｍを２８として説明する。
【０１８５】
すなわち、第１光源群２２０ａの第１発光素子２１２ａ（１），…，２１２ａ（１６）による光軸照射位置Ｋ２，Ｋ３，…，Ｋ２８と、第２光源群２２０ｂの第２発光素子２１２ｂ（１），…，２１２ｂ（１２）による光軸照射位置Ｋ１，Ｋ４，…，Ｋ２７とが互いに異なっている。
【０１８６】
図１５に示す構成では、第１光源群２２０ａ及び第２光源群２２０ｂ間において、光照射面Ｇｄへの光軸Ｌａ，…，Ｌｂ，…の主走査方向Ｘにおける照射位置である光軸照射位置Ｋ１，…，Ｋ２７，Ｋ２８が何れも一致していない。
【０１８７】
こうすることで、光軸照射位置Ｋ１，…，Ｋ２７，Ｋ２８の数を第１光源群２２０ａ及び第２光源群２２０ｂにおける第１発光素子２１２ａ（１），…，２１２ａ（１６）及び第２発光素子２１２ｂ（１），…，２１２ｂ（１２）の合計個数分（最大個数分）にすることができ、それだけ照度ムラを目立ち難くすることができる。
【０１８８】
図１６は、何れの発光素子も同一光量とした場合において光軸照射位置Ｋ１，…，Ｋ２７，Ｋ２８が何れも一致していない照度分布α１，α２，α５の一例を示すグラフである。図１６（ａ）は、第１光源群２２０ａにおける第１発光素子２１２ａ（１），…，２１２ａ（１６）の光軸Ｌａ，…を第１光源群２２０ａ単独で光照射領域Ｌｄに照射した場合での照度分布α１を示している。図１６（ｂ）は、第２光源群２２０ｂにおける第２発光素子２１２ｂ（１），…，２１２ｂ（１２）の光軸Ｌｂ，…を第２光源群２２０ｂ単独で光照射領域Ｌｄに照射した場合での照度分布α２を示している。図１６（ｃ）は、第１及び第２光源群２２０ａ，２２０ｂにおける第１及び第２発光素子２１２ａ（１），…，２１２ａ（１６），２１２ｂ（１），…，２１２ｂ（１２）の光軸Ｌａ，…，Ｌｂ，…を光照射領域Ｌｄに照射した場合での照度分布α５を示している。図１６（ｃ）において、破線は、図７（ｃ）に示す照度分布α３を示している。
【０１８９】
図１６（ｃ）に示すように、光軸照射位置Ｋ１，…，Ｋ２７，Ｋ２８が何れも一致していない照度分布α５では、光軸照射位置Ｋ１，…，Ｋ２３，Ｋ２４の少なくとも一つＫ１，Ｋ７，…，Ｋ１９が一致している照度分布α３（図１６（ｃ）の破線参照）に比べて光照射領域Ｌｄでの照度を主走査方向Ｘで分散させることができる。
【０１９０】
図１７は、図１６（ｃ）に示す照度分布α５に対して第１発光素子２１２ａ（１），…，２１２ａ（１６）及び第２発光素子２１２ｂ（１），…，２１２ｂ（１２）の光量を照度ムラの基準範囲内に入る光量に設定した照度分布α６を示すグラフである。なお、図１７において、図１６（ｃ）に示す照度分布α５は破線で示している。
【０１９１】
図１７に示す例では、第１光源群２２０ａ及び第２光源群２２０ｂ間において光軸照射位置が近接している発光素子に対して光量を下げている。具体的には、光軸照射位置が近接している第１発光素子２１２ａ（１），２１２ａ（２），２１２ａ（５），２１２ａ（６），２１２ａ（９），２１２ａ（１０），２１２ａ（１３），２１２ａ（１４）及び／又は第２発光素子２１２ｂ（１），２１２ｂ（２），２１２ｂ（４），２１２ｂ（５），２１２ｂ（７），２１２ｂ（８），２１２ｂ（１０），２１２ｂ（１１）の光量を下げている。
【０１９２】
本実施の形態では、複数列の光源群を２列の第１及び第２光源群２２０ａ，２２０ｂとしたが、３列以上の光源群であってもよい
図１８は、４列の第１から第４光源群２２０ａ，２２０ｂ，２２０ｃ，２２０ｄを備えた光源２１１の一例を示す概略側面図である。
【０１９３】
図１８に示す光源２１１は、図４（ｂ）に示す光源２１１において、第３光源群２１０ｃ及び第４光源群２２０ｄを追加した以外は、図４（ｂ）に示す光源２１１と同一構成とされている。よって、図１８において、図４（ｂ）に示す光源２１１と同じ部材には同一符号を付し、その説明を省略する。
【０１９４】
また、図１９は、図１８に示す光源２１１から第１から第４光源群２２０ａ，２２０ｂ，２２０ｃ，２２０ｄを取り出して並べた平面図である。
【０１９５】
第３光源群２１０ｃ及び第４光源群２２０ｄは、それぞれ、第３発光素子２１２ｃ（１），…，２１２ｃ（１０）及び第４発光素子２１２ｄ（１），…，２１２ｄ（８）を備えている。第３発光素子２１２ｃ（１），…，２１２ｃ（１０）及び第４発光素子２１２ｄ（１），…，２１２ｄ（８）は、それぞれ、第３光源基板２１３ｃ及び第４光源基板２１３ｄに搭載されている。
【０１９６】
第３発光素子２１２ｃ（１），…，２１２ｃ（１０）及び第４発光素子２１２ｄ（１），…，２１２ｄ（８）は、何れも発光ダイオード（ＬＥＤ）素子とされている。第３及び第４発光素子２１２ｃ（１），…，２１２ｃ（１０），２１２ｄ（１），…，２１２ｄ（８）は、所定の一方向に強い指向特性を有している。第３及び第４発光素子２１２ｃ（１），…，２１２ｃ（１０），２１２ｄ（１），…，２１２ｄ（８）から射出される光のうち光束が最も強くなる方向が光軸Ｌｃ，…，Ｌｄ，…とされている。なお、第３及び第４発光素子２１２ｃ（１），…，２１２ｃ（１０），２１２ｄ（１），…，２１２ｄ（８）は、第１及び第２発光素子２１２ａ（１），…，２１２ａ（１６），２１２ｂ（１），…，２１２ｂ（１２）と同じタイプ（型式）のものとされている。
【０１９７】
第３発光素子２１２ｃ（１），…，２１２ｃ（１０）及び第４発光素子２１２ｄ（１），…，２１２ｄ（８）は、原稿Ｇにおける主走査方向Ｘに延びる一定の光照射領域Ｌｄ側に向けて光を照射するものである。なお、各第３発光素子２１２ｃ（１），…，２１２ｃ（１０）から光照射領域Ｌｄまでの光軸Ｌａの距離である第３光軸距離は何れも同一距離とされている。また、各第４発光素子２１２ｄ（１），…，２１２ｄ（８）から光照射領域Ｌｄまでの光軸Ｌｂの距離である第４光軸距離は何れも同一距離とされている。ここでは、第１から第４光軸距離は、同一距離とされている。
【０１９８】
第３光源群２２０ｃにおける第３発光素子２１２ｃ（１），…，２１２ｃ（１０）は、同一光源群（具体的には２２０ｃ）内において同一ピッチ（具体的にはＰ３）とされ、第４光源群２２０ｄにおける第４発光素子２１２ｄ（１），…，２１２ｄ（８）は、同一光源群（具体的には２２０ｄ）内において同一ピッチ（具体的にはＰ４）とされている。また、第１発光素子２１２ａ（１），…，２１２ａ（１６）、第２発光素子２１２ｂ（１），…，２１２ｂ（１２）、第３発光素子２１２ｃ（１），…，２１２ｃ（１０）及び第４発光素子２１２ｄ（１），…，２１２ｄ（８）は、第１光源群２２０ａ、第２光源群２２０ｂ、第３光源群２２０ｃ及び第４光源群２２０ｄ間において互いに異なるピッチ（Ｐ１＜Ｐ２＜Ｐ３＜Ｐ４）されている。具体的には、ピッチＰ３は３０ｍｍとされ、ピッチＰ４は３６ｍｍとされている。なお、ピッチＰ３は、主走査方向Ｘにおける第３発光素子中心（光出射部）間の距離であり、ピッチＰ４は、主走査方向Ｘにおける第４発光素子中心（光出射部）間の距離である。また、第３光源群２２０ｃ及び第４光源群２２０ｄに対する発光素子への配線の配置や光量制御については、第１光源群２２０ａ及び第２光源群２２０ｂと同様に構成することができる。
【０１９９】
そして、第１から第４光源群２２０ａ〜２２０ｄにおいて、第１発光素子２１２ａ（１）、第２発光素子２１２ｂ（１）、第３発光素子２１２ｃ（１）及び第４発光素子２１２ｄ（１）は光軸照射位置が同一仮想直線Ｊ１上に位置している。また、第１発光素子２１２ａ（３）及び第４発光素子２１２ｄ（２）は光軸照射位置が同一仮想直線Ｊ２上に位置している。第１発光素子２１２ａ（５）、第２発光素子２１２ｂ（４）及び第４発光素子２１２ｄ（３）は光軸照射位置が同一仮想直線Ｊ３上に位置している。また、第１発光素子２１２ａ（６）及び第３発光素子２１２ｃ（４）は光軸照射位置が同一仮想直線Ｊ４上に位置している。また、第１発光素子２１２ａ（７）及び第４発光素子２１２ｄ（４）は光軸照射位置が同一仮想直線Ｊ５上に位置している。また、第２発光素子２１２ｂ（６）及び第３発光素子２１２ｃ（５）は光軸照射位置が同一仮想直線Ｊ６上に位置している。また、第１発光素子２１２ａ（９）、第２発光素子２１２ｂ（７）及び第４発光素子２１２ｄ（５）は光軸照射位置が同一仮想直線Ｊ７上に位置している。また、第１発光素子２１２ａ（１１）、第３発光素子２１２ｃ（７）及び第４発光素子２１２ｄ（６）は光軸照射位置が同一仮想直線Ｊ８上に位置している。また、第１発光素子２１２ａ（１３）、第２発光素子２１２ｂ（１０）及び第４発光素子２１２ｄ（７）は光軸照射位置が同一仮想直線Ｊ９上に位置している。また、第２発光素子２１２ｂ（１１）及び第３発光素子２１２ｃ（９）は光軸照射位置が同一仮想直線Ｊ１０上に位置している。また、第１発光素子２１２ａ（１５）及び第４発光素子２１２ｄ（８）は光軸照射位置が同一仮想直線Ｊ１１上に位置している。また、第１発光素子２１２ａ（１６）及び第３発光素子２１２ｃ（１０）は光軸照射位置が同一仮想直線Ｊ１２上に位置している。なお、第１から第４光源群２２０ａ〜２２０ｄにおいて、各発光素子の光軸照射位置が何れも一致しない構成とされていてもよい。
【０２００】
図２０は、第１から第４光源群２２０ａ，２２０ｂ，２２０ｃ，２２０ｄにおける第１から第４発光素子２１２ａ（１），…，２１２ａ（１６），２１２ｂ（１），…，２１２ｂ（１２），２１２ｃ（１），…，２１２ｃ（１０），２１２ｄ（１），…，２１２ｄ（８）の光軸Ｌａ，…，Ｌｂ，…，Ｌｃ，…，Ｌｄ，…を光照射領域Ｌｄに照射した場合での照度分布α７を示すグラフである。
【０２０１】
図２０に示すように、照度分布α７は、図７（ｃ）に示す照度分布α３に比べ、明部の頂点β１〜β１５と暗部の最下点γ１〜γ１５との照度差の度合が小さい箇所が多いため、照度ムラを抑えることができ、照度ムラをさらに目立ち難くすることが可能となる。
【０２０２】
なお、以上説明した画像読取装置１００は縮小光学系タイプの画像読取装置であったが、等倍光学系タイプの画像読取装置であってもよい。
【０２０３】
［実施例］
次に、図４に示す構成の光源２１１において、第１発光素子２１２ａを２９個、第２発光素子２１２ｂを１９個、第１発光素子２１２ａのピッチＰ１を１０ｍｍ、第２発光素子２１２ｂのピッチＰ２を１５ｍｍとした場合でのリップル率を算出した実施例１と、実施例１の構成において光量分布で光量の大きい箇所に対応する発光素子の光量を下げた場合でのリップル率を算出した実施例２とを比較したので、これについて以下に説明する。
【０２０４】
図２１は、第１光源群２２０ａの何れの第１発光素子２１２ａ（１），…，２１２ａ（２９）も同一光量とし、第２光源群２２０ｂの何れの第２発光素子２１２ｂ（１），…，２１２ｂ（１９）も同一光量であって第１発光素子２１２ａ（１），…，２１２ａ（２９）とは異なる光量とした場合での実施例１の光量分布を示しており、図２２は、実施例１の構成において第１光源群２２０ａ及び第２光源群２２０ｂ間で光軸照射位置が一致している発光素子に対して光量を下げた場合での実施例２の光量分布を示している。図２１（ａ）及び図２２（ａ）は、第１光源群２２０ａ単独での光量分布を示しており、図２１（ｂ）及び図２２（ｂ）は、第２光源群２２０ｂ単独での光量分布を示しており、図２１（ｃ）及び図２２（ｃ）は、第１及び第２光源群２２０ａ，２２０ｂの光量分布を合成した光量分布を示している。なお、図２１及び図２２において、縦軸は、光量としているが、単位は、１個の発光素子の光軸（中心）の光量を１とした比率で表している。
【０２０５】
実施例１及び実施例２では、発光素子として何れも配光（指向）特性の半値角が約４５°のＬＥＤを使用し、第１及び第２光軸距離Ｈａ，Ｈｂ（図４（ｂ）参照）を何れも１０ｍｍとし、実施例２では、光軸照射位置Ｋ１，Ｋ５，Ｋ９，…，Ｋ３７が一致している第１発光素子２１２ａ（１），２１２ａ（４），…，２１２ａ（２８）及び第２発光素子２１２ｂ（１），２１２ｂ（３），…，２１２ｂ（１９）のうち少なくとも一方（ここでは第１発光素子２１２ａ（１），２１２ａ（４），…，２１２ａ（２８））の光量を１１．５％低下させるという条件で、リップル率を算出した。ここで、リップル率は、各明部のうち最も高い光量から各暗部のうち最も低い光量を差し引いた値を、各明部の頂点の光量と各暗部の最下点の光量との平均値で割った値としている。なお、リップル率の算出は、主走査方向Ｘの両端部の光量が低下することから、主走査方向Ｘにおける距離５０ｍｍ〜２５０ｍｍの間で行った。
【０２０６】
その結果、リップル率は、図２１（ｃ）に示す実施例１の光量分布では３．９％であったのに対して、図２２（ｃ）に示す実施例２の光量分布では３．４％となり、０．５％下がった。これにより、実施例１の光照射領域Ｌｄでの照度ムラに比べ、実施例２の光照射領域Ｌｄでの照度ムラが軽減されることが分かる。
【符号の説明】
【０２０７】
１００        画像読取装置
１１０        画像形成部
２００        原稿読取部
２１０        光源ユニット（照明装置の一例）
２１２ａ      第１発光素子
２１２ｂ      第２発光素子
２１２ｃ      第３発光素子
２１２ｄ      第４発光素子
２１３ａ      第１光源基板
２１３ｂ      第２光源基板
２１３ｃ      第３光源基板
２１３ｄ      第４光源基板
２２０ａ      第１光源群
２２０ａ      第１光源群
４４０        光量制御部
４４１        制御回路
４４１ａ      検出部
４４２        設定部
４４３        調整部
Ａ１〜Ａ４    第１配線
Ｂ１〜Ｂ３    第２配線
Ｋ１〜Ｋ２４  光軸照射位置
Ｄ            画像形成装置
Ｇ            原稿
Ｇｄ          光照射面
Ｌｄ          光照射領域
Ｐ１〜Ｐ４    ピッチ
Ｘ            主走査方向
α１〜α７    照度分布
β１〜β１６  明部の頂点
γ１〜γ１５  暗部の最下点
【図１】
0005349541.tif 000002
【図２】
0005349541.tif 000003
【図３】
0005349541.tif 000004
【図４】
0005349541.tif 000005
【図５】
0005349541.tif 000006
【図６】
0005349541.tif 000007
【図７】
0005349541.tif 000008
【図８】
0005349541.tif 000009
【図９】
0005349541.tif 000010
【図１０】
0005349541.tif 000011
【図１１】
0005349541.tif 000012
【図１２】
0005349541.tif 000013
【図１３】
0005349541.tif 000014
【図１４】
0005349541.tif 000015
【図１５】
0005349541.tif 000016
【図１６】
0005349541.tif 000017
【図１７】
0005349541.tif 000018
【図１８】
0005349541.tif 000019
【図１９】
0005349541.tif 000020
【図２０】
0005349541.tif 000021
【図２１】
0005349541.tif 000022
【図２２】
0005349541.tif 000023